(57)【要約】【課題】複数の画質モード設定による処理が施された特定領域の画像（モニタ画像）を、同一用紙上の異なる位置に形成し、モード毎の画像が一目でわかる様にして、最適なモードを簡単に判断することができる画像形成装置を提供すること。【解決手段】原稿画像の中の任意の画像領域を特定領域として設定する特定領域設定手段を備え、画像処理手段（スキャナ・ＩＰＵ部）が、特定領域が設定された場合に、特定領域に相当する画像データを入力し、それぞれ異なる画質モードの設定で画像処理を施した複数のモニタ画像データを生成し、画像形成手段（プリンタ部）が、複数のモニタ画像データを入力し、それぞれのモニタ画像データを同一転写材上の異なる位置に配置して、同一転写材上に複数のモニタ画像を形成する。【選択図】        図３
2006060830.tif 000002
【特許請求の範囲】
【請求項１】
読み取り位置に配置した原稿画像を光学的に走査して画像データを読み取る画像読取手段と、前記画像読取手段から画像データを入力して，画像処理を施す画像処理手段と、前記画像処理手段で画像処理を施した画像データに基づいて転写材上に画像を形成する画像形成手段と、を有する画像形成装置において、
前記原稿画像の中の任意の画像領域を特定領域として設定する特定領域設定手段を備え、
前記画像処理手段は、前記特定領域設定手段で前記特定領域が設定された場合に、前記特定領域に相当する画像データを入力し、それぞれ異なる画質モードの設定で画像処理を施した複数のモニタ画像データを生成し、
前記画像形成手段は、前記複数のモニタ画像データを入力し、それぞれのモニタ画像データを同一転写材上の異なる位置に配置して、同一転写材上に複数のモニタ画像を形成することを特徴とする画像形成装置。
【請求項２】
さらに、前記同一転写材上に形成された複数のモニタ画像の中から所望のモニタ画像を選択し、選択したモニタ画像に対応する画質モードを設定するための画質モード設定手段を備えたことを特徴とする請求項１に記載の画像形成装置。
【請求項３】
前記画像処理手段は、前記画質モード設定手段で画質モードが設定された場合、前記特定領域に相当する画像データを入力し、前記設定された画質モードに対応したそれぞれ異なる複数種類の画像処理パラメータの設定で画像処理を施した複数のモニタ画像データを生成することを特徴とする請求項２に記載の画像形成装置。
【請求項４】
さらに、複数の画質モードの中からモニタ画像の生成に使用する複数の画質モードを予め指定するための指定手段を備え、
前記画像処理手段は，前記指定手段を介して画質モードが指定された場合、前記特定領域に相当する画像データを入力し、前記指定された画質モードを用いて画像処理を施した複数のモニタ画像データを生成することを特徴とする請求項１〜３のいずれか一つに記載の画像形成装置。
【請求項５】
前記画像処理手段は、前記モニタ画像データと共に、各モニタ画像データがそれぞれどの画質モードに対応するかを示すモード特定情報を生成することを特徴とする請求項１〜４のいずれか一つに記載の画像形成装置。
【請求項６】
前記特定領域設定手段は、前記特定領域を設定する際に、指定されている転写材に前記特定領域に基づいて形成される複数のモニタ画像が収まるような設定のみを可能とすることを特徴とする請求項１〜５のいずれか一つに記載の画像形成装置。
【請求項７】
さらに、前記転写材上に形成される複数のモニタ画像の配置を指定または変更するモニタ画像配置指定手段を備えたことを特徴とする請求項１〜６のいずれか一つに記載の画像形成装置。
【請求項８】
さらに、前記モニタ画像の変倍を指定するモニタ画像変倍手段を備えたことを特徴とする請求項１〜７のいずれか一つに記載の画像形成装置。
【請求項９】
読み取り位置に配置した原稿画像を光学的に走査して画像データを読み取る画像読取手段と、前記画像読取手段から画像データを入力して，画像処理を施す画像処理手段と、前記画像処理手段で画像処理を施した画像データに基づいて転写材上に画像を形成する画像形成手段と、を有する画像形成装置において、
予め前記画像読取手段で読み取る原稿種に応じた画像処理パラメータが設定された画質モードの中から所望の画質モードを選択するための画質モード選択手段を備え、
前記画質モード選択手段は、前記画質モードの中から所望の画質モードを選択する際に、同一の原稿種の画質モードにおいて複数の画像処理パラメータの組の中から所望の画像処理パラメータの組を選択可能であることを特徴とする画像形成装置。
【請求項１０】
前記同一の原稿種の画質モードにおいて選択可能な複数の画像処理パラメータの組は、前記原稿種を形成するプリンタのメーカーまたは複写機のメーカー、もしくはプリンタの機種または複写機の機種に対応した設定であることを特徴とする請求項９に記載の画像形成装置。
【請求項１１】
前記同一の原稿種の画質モードにおいて選択可能な複数の画像処理パラメータの組は、前記原稿種の解像度または色材の色味などに対応した設定であることを特徴とする請求項９または１０に記載の画像形成装置。
【請求項１２】
前記同一の原稿種の画質モードとは、印画紙、インクジェット、トナーを使用したプリンタの出力または複写物、印刷、熱転写原稿、地図のいずれかであることを特徴とする請求項９〜１１のいずれか一つに記載の画像形成装置。
【請求項１３】
前記同一の原稿種の画質モードに対して設定された画像処理パラメータは、空間フィルタ、階調変換テーブル、ディザ、色変換係数および文字と写真の判定基準のいずれかを含むことを特徴とする９〜１２のいずれか一つに記載の画像形成装置。
【請求項１４】
読み取り位置に配置した原稿画像を光学的に走査して画像データを読み取る画像読取手段と、前記画像読取手段から画像データを入力して，画像処理を施す画像処理手段と、前記画像処理手段で画像処理を施した画像データに基づいて転写材上に画像を形成する画像形成手段と、を有する画像形成装置において、
前記原稿画像の中の複数の画像領域に対応させて切り替え可能であって、前記画像読取手段から出力される画像データを階調変換する複数の第１の階調変換テーブルと、
前記第１の階調変換テーブルから出力された画像データを記憶する記憶手段と、
前記記憶手段に記憶された画像データを前記第１の階調変換テーブルに入力する第１の入力手段と、
前記画像読取手段から出力される画像データと前記記憶手段から出力される画像データとを切り替えて前記第１の階調変換テーブルに入力する第２の入力手段と、
前記複数の画像領域に対応させて切り替え可能であって、前記画像読取手段からの出力信号を使用する色材に対応させて色補正を行なう色補正手段と、
前記複数の画像領域に対応させて切り替え可能であって、前記色補正手段によって補正された後の画像データを階調変換する第２の階調変換テーブルと、
を備えたことを特徴とする画像形成装置。
【請求項１５】
前記第１の階調変換テーブルの切り替えは、階調変換を行わない無変換用階調変換テーブルと、階調変換を行う変換用階調変換テーブルとの間で実行されることを特徴とする請求項１４に記載の画像形成装置。
【請求項１６】
さらに、前記第１の階調変換テーブルに前記原稿画像内の複数の領域に対応するパラメータを設定し、前記記憶手段から前記指定された領域の画像データを必要に応じて読み出し、前記第１の階調変換テーブルによって階調変換し、階調変換された画像データを前記記憶手段に記憶させる制御を行う制御手段を備え、
前記制御手段は、必要回数前記制御を繰り返すことを特徴とする請求項１４に記載の画像形成装置。
【請求項１７】
前記第１の階調変換テーブルは、印画紙原稿、蛍光ペンを使用した原稿、および熱転写で印字された原稿のいずれかの原稿に対応した画質モードを備えていることを特徴とする請求項１４または１５に記載の画像形成装置。
【請求項１８】
前記第１の階調変換テーブルは、濃度を変換するモードを備えていることを特徴とする請求項１４〜１７のいずれか一つに記載の画像形成装置。
【発明の詳細な説明】
【技術分野】
【０００１】
本発明は、画質モード毎に階調変換テーブルγや色変換係数等を切り替えることにより画質調整が可能なデジタル方式の電子写真複写機等の画像形成装置に関し、特に、モード毎の画像が一目でわかる様に画像出力することができる画像形成装置に関する。
【背景技術】
【０００２】
画像形成装置には、読み取った画像に基づいて画像を形成するいわゆる複写機や、外部から入力される画像データにしたがって画像を形成するいわゆるプリンタがあるが、例えばデジタル方式のカラー複写機では、原稿の一部をその色調を変化させて１枚の用紙上に並べて複写するモニタコピーモードが設けられているものがある。この公知例としては、例えば特許文献１記載の発明が知られている。
【０００３】
この種のカラー複写機においては、オペレータが原稿の複写に先立ってモニタコピーモードを選択し、原稿の一部、通常は、色再現の上で特に注目する部分を指定すると、その部分について色補正を施さない標準の色調のモニタ画像、いわゆる無修正のモニタ画像と共に、例えば、イエロー（Ｙ）、マゼンタ（Ｍ）およびシアン（Ｃ）をそれぞれ若干強調するように意図的に色補正を施した複数のモニタ画像が１枚の用紙上に形成される。
【０００４】
写真、印刷、サインペンなどにおいて人の目には同じ色をしているように見えても、実際に複写してみると全く違う色になってしまう場合がある。これは、感光剤、印刷インク、トナーなどの色剤が異なるためである。電子写真複写機などのデジタル画像形成装置では、常時、一定の良好な画像を再現するために、文字モード、写真モードなどのモード毎にγ補正、色変換、フィルタ処理、および階調処理などの各処理が設定されている。
【０００５】
また、このようなモニタコピー機能を備えたカラー複写機として特許文献２記載の発明も知られている。この発明は、このようなモニタコピー機能を有するカラー複写機において、特定部分の色調に適した色補正の度合いを指定するための操作手段と、操作手段によって指定された度合いの色補正を行う色補正手段とを備えたものである。
【０００６】
また、例えばカラー複写機に搭載されたＲＧＢ階調変換テーブルは、コスト上の制約からＲＧＢ３色分１組である。このため、様々な原稿の種類に対応するために、画像処理パラメータとして色補正（色変換）係数、空間フィルタ、ＹＭＣＫ階調補正テーブルを原稿の種類に応じて設定し、その原稿の種類に対応した画質モードにして使用している。
【０００７】
例えば、この種の発明としては特許文献３記載の発明が知られており、この発明では、読み取り手段によって読み取った画像データをγ補正テーブルによって濃度補正して出力すると共に、読み取った画像の位置を示す位置情報と、原稿上の任意の位置または領域を指定してその位置情報を出力する位置指定手段からの位置情報が一致したときに一致信号を出力する一致検出回路と、読み取り手段によって読み取られた画像データをγ補正データによって濃度補正して出力すると共に、一致検出回路から一致信号が入力されたときにγ補正データを濃度指定手段によって指定された濃度情報に応じてγ補正データに切り替えて濃度補正を行なうγ補正回路とを備え、現行の領域毎にＲＧＢ階調変換テーブルを切り換えるように構成されている。
【０００８】
一方、カラー複写機等で複写する原稿には、文字、写真以外にも、銀塩写真（印画紙）、印刷原稿、インクジェット、蛍光ペン、地図、熱転写原稿などの様々な原稿種がある。従来のカラー複写機では、これら原稿種（使用する紙の種類や色材）が異なる場合には、複写機に用意されている画質モードの中から適切な画質モードを選択し、それぞれの原稿に最適な画像処理パラメータを使用することにより、より原稿に忠実な画像を得ることができるようになっている。このように、それぞれの原稿種に対応して、空間フィルタ、階調変換テーブル、ディザ、色変換係数などの画像処理パラメータを画質モードとして設定しておくことで、使用者はモードを選択するという単純な作業で原稿に適した条件を設定することができる。
【０００９】
ところが、同一の原稿種であっても、種々のプリンタで原稿が作成されているのが実状である。これらの原稿は、プリンタを作成したメーカーが異なっていたり、使用する色材の色味が異なったり、あるいはディザ処理やプリンタの解像度が異なっていたりするため、同一の画像処理パラメータでは、原稿に対する再現性などの点で、使用者が望む複写画像が必ずしも得られない場合があった。
【００１０】
このためこれを解決するものとして、特許文献４「色調整装置」に記載の発明では、インクジェットメーカー毎に固有の色補正を行うことにより使用者が望む複写画像を得る技術が開示されている。
【００１１】
【特許文献１】特開平１−２３２８７８号公報
【特許文献２】特開平６−３３４８５４号公報
【特許文献３】特開平６−８６０６８号公報
【特許文献４】特開平８−５８１５８号公報
【発明の開示】
【発明が解決しようとする課題】
【００１２】
しかしながら、上記従来の技術によれば、写真、印刷、インクジェットなど、異なる色剤の色を原稿に再現するために画質モードが設けられているものの、一つの画質モードに対して複数の色変換係数を持つ場合などには、画質モードを選択する毎に実際に複写を行ってその複写画像を見なければ、どの様に画質調整が行われたかを確認することはできなかった。このため、画質モードを選択するために何回も試し刷りを行わなくてはならず、多くの用紙やカラートナーを消費すると共に、時間と労力を費やさねばならないという問題点があった。
【００１３】
具体的には、例えば、原稿には、文字、写真以外には、銀塩写真（印画紙）、印刷原稿、インクジェット、蛍光ペン、地図、熱転写原稿などがあるが、原稿の種類（使用する紙の種類や色材）が異なる場合には、それぞれの原稿に最適な階調変換テーブル、ディザ、色変換係数を使用することにより、より原稿に忠実な画像を得ることができる。したがって、前もって（画質）モード毎に階調変換テーブル、ディザ、色変換係数を設定しておくことで、使用者はモードを選択するという単純な作業で原稿に適した条件を設定することができる。ところが、選択したモードが使用者の意図に合わない場合がある。こういう事態が生じた時に、他のモードで良好な画像を得ることができる場合があるが、モード毎に画像を出力するのでは手間がかかってしまうという不具合が発生する。
【００１４】
また、従来のカラー複写機には様々な画質モードが設定されている。一例としてあげると、印刷写真、印画紙写真、文字、複写原稿、地図、蛍光ペン、インクジェット、熱転写原稿等などの原稿種に対応させて画像処理パラメータを設定された画質モードである。ところが、使用者は、複写しようとする原稿が上記の原稿種のどれに対応するものか、あるいはどの画質モードで複写をすればよいかが必ずしも容易に判断できないという問題点があった。
【００１５】
また、画質モードが選択されたとしても、その原稿がどのメーカのプリンタや複写機によって形成されたものであるかに応じて画像処理を変更させないと、原稿に忠実な複写物が得られない場合がある。例えば、インクジェット原稿や、銀塩写真原稿、複写原稿に対しては、どのメーカのどの機種によって形成されたものであるかに応じて補正をしなければ、原稿に忠実な色再現性の複写物を得られないという問題点があった。
【００１６】
このような場合、複写機側で、『どのメーカのプリンタあるいは複写機で作成された原稿については、このメーカ用のモードを選択してください』というガイダンス等を表示したとしても、通常、使用者にとってはそれがどのメーカのプリンタあるいは複写機によって形成されたものであるかは、容易には判断できなかった。これは、フィルムプロジェクターにおいても同様である。
【００１７】
また、上記特許文献２に記載のカラー複写機によれば、色補正の度合いを指定して色補正を行う機能を有するだけであり、上述した従来の問題点を解決するものではなかった。
【００１８】
また、例えば、使用者がどのモードを選択すれば良好な画像を得ることができるか選択しやすいように、モードごとの画像を一目で分かるような画像を出力することが考えられるが、エリア加工によって出力したい原稿の領域を自由に指定した場合に、指定用紙の中に選択モードの画像が全て収まりきらない場合がある。そして、収まりきらないと、選択したモードに従って全画像をそのモードで処理することはできない。このことは、特に、複数種の画像が１枚の用紙に形成されたものでは、形成された画像の領域に応じて異なる処理を行わなければならず、従来の技術では対処することはできなかった。
【００１９】
また、上記特許文献２によれば、色補正の度合いを指定することはできるが、原稿種、原稿の製造元、あるいは機種などに応じて色補正を行うことまでは配慮されてはいなかった。
【００２０】
一方、使用者が望む複写画像とは、原稿に対して色再現性が忠実である点や、自動で行う文字・写真領域の判断エラーによる複写された画像中に生じる異常画像が無いこと、原稿に対して画像がぼけて劣化していないこと、などの条件を挙げることができる。ところが、同一の原稿種であっても、画質モードに固定の画像処理パラメータで得られた複写物の再現性では、使用者に取って満足できないものであることがあった。
【００２１】
例えば、インクジェット原稿などは、プリンタのメーカーによって原稿の色味やディザ処理が異なっているため、画質モードに固定された同一の画像処理パラメータでは、複写物の再現性が、必ずしも使用者が満足できる複写物を得られなかった。また、プリンタの設定によって解像度やディザ処理を変更でき、インクの設定も４色を使用したプリンタから５〜６色を使用したプリンタも存在し、画質モードに固定された同一の画像処理パラメータでは、複写されたものの再現性が、必ずしも使用者が満足できる複写物を得ることができなかった。
【００２２】
さらに、従来からスキャナのＲ（Ｒｅｄ），Ｇ（Ｇｒｅｅｎ），Ｂ（Ｂｌｕｅ）のＣＣＤ（Ｃｈａｒｇｅ  Ｃｏｕｐｌｅｄ  Ｄｅｖｉｃｅ）の読み取りバランスは無彩色のインクなどを塗装した原稿を使用し、無彩色の原稿を読み取ったときにＲＧＢの値がほぼ一致した値となるようにＣＣＤ出力値を調整している。このように設定されたスキャナによって読み込んだ原稿は、通常使用される普通紙上に形成された無彩色を読み取った場合にはＲＧＢの読み取り値が一致し、無彩色として読み取られ、有彩色に対しても読み取り時の色再現性が良好である。
【００２３】
これに対し、このようにしてＣＣＤの出力バランスを調整したスキャナを用いて例えば銀塩写真方式で使用する印画紙の無彩色を読み取った場合には、ＲＧＢの出力値は一致せずに、Ｒｅｄの出力信号が低い値として検出されることがある。このような現象は、印画紙の可視光領域の長波長領域の反射率が低い場合に発生する。その結果、得られるコピーとしてはシアン味がかった色として再現される。この程度はＣＣＤの分光透過率の特性や原稿からＣＣＤまでの光路上に設置された分光透過フィルタあるいは分光反射特性によって異なる。
【００２４】
ここでは無彩色の例を挙げたが、有彩色に対する影響についても同様であり、印刷用に調整していると、印画紙などの原稿では、色味が人の肉眼による観察と異なった複写画像が形成される。このような場合には、一般的に色補正係数やＹＭＣＫの階調補正テーブルを原稿種に応じて変更するようにしていたが、十分な色再現性を得ることができない場合があった。
【００２５】
また、補正を十分に行なうために画像読取手段が出力した画像データを階調変換する階調変換テーブルを多く持つようにすることもできるが、コストアップの原因となる。その理由は次のようなものである。すなわち、１つの感光体上にＹＭＣＫの画像を順次形成して、転写体上にＹＭＣＫの画像を重ねる方式の画像形成装置では、ＹＭＣＫの階調補正テーブルでは、ＹＭＣＫの内の一色分の画像データ、例えば８ビット信号を入出力できる階調変換テーブルがあればよい。これに対し、ＲＧＢ用の階調変換テーブルでは、後段の色補正処理でＲＧＢの３つの信号を必要とするために、入力、出力ともそれぞれＲＧＢ３色分の階調変換テーブルを必要とする。したがって、これを１枚の原稿の中の複数の画像領域分用意するとなると回路規模が大きくならざるを得ず、これによってコストが高くなってしまう。
【００２６】
また、画像読取手段が出力した画像データを階調変換する階調変換テーブルを複数設け、原稿内の画像領域に応じて階調変換テーブルを切り替えるように構成すると、当然、画質は向上するが、多くの階調変換テーブルを用意することからコストが高くなる。
【００２７】
さらに、原稿の種類によって階調の変換特性が異なるので、原稿種に応じた階調変換テーブルを適切に適用しないと色再現性に問題が生じる。
【００２８】
本発明は上記に鑑みてなされたものであって、個々の原稿に適した画質モード選択用のモニタ画像の形成を可能にし、使用者が自分の目で見て確認した上で原稿に適したモードを選択することができる画像形成装置を提供することを第１の目的とする。
【００２９】
また、本発明は上記に鑑みてなされたものであって、個々の原稿に適した画質モードの選択をモニタ画像を見て簡単に選択して処理させることができる画像形成装置を提供することを第２の目的とする。
【００３０】
また、本発明は上記に鑑みてなされたものであって、原稿種、原稿の製造元、あるいは機種などに応じて操作者側で色補正を行わせることが可能な画像形成装置を提供することを第３の目的とする。
【００３１】
また、本発明は上記に鑑みてなされたものであって、様々な原稿種に応じて望ましい複写物を得ることができる画像形成装置を提供することを第４の目的とする。
【００３２】
また、本発明は上記に鑑みてなされたものであって、原稿の種類や、印刷用の設定にかかわらず色再現性の良い画像形成装置を提供することを第５の目的とする。
【００３３】
また、本発明は上記に鑑みてなされたものであって、コストと画質を両立させ、コストアップさせることなく色再現性の良い画像形成装置を提供することを第６の目的とする。
【課題を解決するための手段】
【００３４】
上記目的を達成するため、請求項１に係る画像形成装置は、読み取り位置に配置した原稿画像を光学的に走査して画像データを読み取る画像読取手段と、前記画像読取手段から画像データを入力して，画像処理を施す画像処理手段と、前記画像処理手段で画像処理を施した画像データに基づいて転写材上に画像を形成する画像形成手段と、を有する画像形成装置において、前記原稿画像の中の任意の画像領域を特定領域として設定する特定領域設定手段を備え、前記画像処理手段が、前記特定領域設定手段で前記特定領域が設定された場合に、前記特定領域に相当する画像データを入力し、それぞれ異なる画質モードの設定で画像処理を施した複数のモニタ画像データを生成し、前記画像形成手段が、前記複数のモニタ画像データを入力し、それぞれのモニタ画像データを同一転写材上の異なる位置に配置して、同一転写材上に複数のモニタ画像を形成するものである。
【００３５】
また、請求項２に係る画像形成装置は、請求項１に記載の画像形成装置において、さらに、前記同一転写材上に形成された複数のモニタ画像の中から所望のモニタ画像を選択し、選択したモニタ画像に対応する画質モードを設定するための画質モード設定手段を備えたものである。
【００３６】
また、請求項３に係る画像形成装置は、請求項２に記載の画像形成装置において、前記画像処理手段が、前記画質モード設定手段で画質モードが設定された場合、前記特定領域に相当する画像データを入力し、前記設定された画質モードに対応したそれぞれ異なる複数種類の画像処理パラメータの設定で画像処理を施した複数のモニタ画像データを生成するものである。
【００３７】
また、請求項４に係る画像形成装置は、請求項１〜３のいずれか一つに記載の画像形成装置において、さらに、複数の画質モードの中からモニタ画像の生成に使用する複数の画質モードを予め指定するための指定手段を備え、前記画像処理手段が，前記指定手段を介して画質モードが指定された場合、前記特定領域に相当する画像データを入力し、前記指定された画質モードを用いて画像処理を施した複数のモニタ画像データを生成するものである。
【００３８】
また、請求項５に係る画像形成装置は、請求項１〜４のいずれか一つに記載の画像形成装置において、前記画像処理手段が、前記モニタ画像データと共に、各モニタ画像データがそれぞれどの画質モードに対応するかを示すモード特定情報を生成するものである。
【００３９】
また、請求項６に係る画像形成装置は、請求項１〜５のいずれか一つに記載の画像形成装置において、前記特定領域設定手段が、前記特定領域を設定する際に、指定されている転写材に前記特定領域に基づいて形成される複数のモニタ画像が収まるような設定のみを可能とするものである。
【００４０】
また、請求項７に係る画像形成装置は、請求項１〜６のいずれか一つに記載の画像形成装置において、さらに、前記転写材上に形成される複数のモニタ画像の配置を指定または変更するモニタ画像配置指定手段を備えたものである。
【００４１】
また、請求項８に係る画像形成装置は、請求項１〜７のいずれか一つに記載の画像形成装置において、さらに、前記モニタ画像の変倍を指定するモニタ画像変倍手段を備えたものである。
【００４２】
また、請求項９に係る画像形成装置は、読み取り位置に配置した原稿画像を光学的に走査して画像データを読み取る画像読取手段と、前記画像読取手段から画像データを入力して，画像処理を施す画像処理手段と、前記画像処理手段で画像処理を施した画像データに基づいて転写材上に画像を形成する画像形成手段と、を有する画像形成装置において、予め前記画像読取手段で読み取る原稿種に応じた画像処理パラメータが設定された画質モードの中から所望の画質モードを選択するための画質モード選択手段を備え、前記画質モード選択手段は、前記画質モードの中から所望の画質モードを選択する際に、同一の原稿種の画質モードにおいて複数の画像処理パラメータの組の中から所望の画像処理パラメータの組を選択可能であるものである。
【００４３】
また、請求項１０に係る画像形成装置は、請求項９に記載の画像形成装置において、前記同一の原稿種の画質モードにおいて選択可能な複数の画像処理パラメータの組は、前記原稿種を形成するプリンタのメーカーまたは複写機のメーカー、もしくはプリンタの機種または複写機の機種に対応した設定であるものである。
【００４４】
また、請求項１１に係る画像形成装置は、請求項９または１０に記載の画像形成装置において、前記同一の原稿種の画質モードにおいて選択可能な複数の画像処理パラメータの組は、前記原稿種の解像度または色材の色味などに対応した設定であるものである。
【００４５】
また、請求項１２に係る画像形成装置は、請求項９〜１１のいずれか一つに記載の画像形成装置において、前記同一の原稿種の画質モードとは、印画紙、インクジェット、トナーを使用したプリンタの出力または複写物、印刷、熱転写原稿、地図のいずれかであるものである。
【００４６】
また、請求項１３に係る画像形成装置は、請求項９〜１２のいずれか一つに記載の画像形成装置において、前記同一の原稿種の画質モードに対して設定された画像処理パラメータは、空間フィルタ、階調変換テーブル、ディザ、色変換係数および文字と写真の判定基準のいずれかを含むものである。
【００４７】
また、請求項１４に係る画像形成装置は、読み取り位置に配置した原稿画像を光学的に走査して画像データを読み取る画像読取手段と、前記画像読取手段から画像データを入力して，画像処理を施す画像処理手段と、前記画像処理手段で画像処理を施した画像データに基づいて転写材上に画像を形成する画像形成手段と、を有する画像形成装置において、前記原稿画像の中の複数の画像領域に対応させて切り替え可能であって、前記画像読取手段から出力される画像データを階調変換する複数の第１の階調変換テーブルと、前記第１の階調変換テーブルから出力された画像データを記憶する記憶手段と、前記記憶手段に記憶された画像データを前記第１の階調変換テーブルに入力する第１の入力手段と、前記画像読取手段から出力される画像データと前記記憶手段から出力される画像データとを切り替えて前記第１の階調変換テーブルに入力する第２の入力手段と、前記複数の画像領域に対応させて切り替え可能であって、前記画像読取手段からの出力信号を使用する色材に対応させて色補正を行なう色補正手段と、前記複数の画像領域に対応させて切り替え可能であって、前記色補正手段によって補正された後の画像データを階調変換する第２の階調変換テーブルと、を備えたものである。
【００４８】
また、請求項１５に係る画像形成装置は、請求項１４に記載の画像形成装置において、前記第１の階調変換テーブルの切り替えは、階調変換を行わない無変換用階調変換テーブルと、階調変換を行う変換用階調変換テーブルとの間で実行されるものである。
【００４９】
また、請求項１６に係る画像形成装置は、請求項１４に記載の画像形成装置において、さらに、前記第１の階調変換テーブルに前記原稿画像内の複数の領域に対応するパラメータを設定し、前記記憶手段から前記指定された領域の画像データを必要に応じて読み出し、前記第１の階調変換テーブルによって階調変換し、階調変換された画像データを前記記憶手段に記憶させる制御を行う制御手段を備え、前記制御手段は、必要回数前記制御を繰り返すものである。
【００５０】
また、請求項１７に係る画像形成装置は、請求項１４または１５に記載の画像形成装置において、前記第１の階調変換テーブルは、印画紙原稿、蛍光ペンを使用した原稿、および熱転写で印字された原稿のいずれかの原稿に対応した画質モードを備えているものである。
【００５１】
また、請求項１８に係る画像形成装置は、請求項１４〜１７のいずれか一つに記載の画像形成装置において、前記第１の階調変換テーブルが、濃度を変換するモードを備えているものである。
【発明の効果】
【００５２】
以上説明したように，本発明の画像形成装置（請求項１）は、読み取り位置に配置した原稿画像を光学的に走査して画像データを読み取る画像読取手段と、画像読取手段から画像データを入力して，画像処理を施す画像処理手段と、画像処理手段で画像処理を施した画像データに基づいて転写材上に画像を形成する画像形成手段と、を有する画像形成装置において、原稿画像の中の任意の画像領域を特定領域として設定する特定領域設定手段を備え、画像処理手段が、特定領域設定手段で特定領域が設定された場合に、特定領域に相当する画像データを入力し、それぞれ異なる画質モードの設定で画像処理を施した複数のモニタ画像データを生成し、画像形成手段が、複数のモニタ画像データを入力し、それぞれのモニタ画像データを同一転写材上の異なる位置に配置して、同一転写材上に複数のモニタ画像を形成するため、複数の画質モード設定による処理が施された特定領域の画像（モニタ画像）を、同一用紙上の異なる位置に形成し、モード毎の画像が一目でわかる様になり、最適なモードを簡単に判断することができる。
【００５３】
また、本発明の画像形成装置（請求項２）は、請求項１に記載の画像形成装置において、さらに、同一転写材上に形成された複数のモニタ画像の中から所望のモニタ画像を選択し、選択したモニタ画像に対応する画質モードを設定するための画質モード設定手段を備えたため、複写すべき原稿に最適な画質モードを容易に選択できると共に、カラー複写機に設定された画質モードの詳細を意識せずに、出力されたモニタ画像を見て容易に画質モードを設定することができる。
【００５４】
また、本発明の画像形成装置（請求項３）は、請求項２に記載の画像形成装置において、画像処理手段が、画質モード設定手段で画質モードが設定された場合、特定領域に相当する画像データを入力し、設定された画質モードに対応したそれぞれ異なる複数種類の画像処理パラメータの設定で画像処理を施した複数のモニタ画像データを生成するため、特定の画質モードに対して、それらのメーカーや機種あるいは特定の機種の画像処理（解像度など）に応じた画像処理を施し、１枚の転写材上に一覧出力を行うことができ、使用者は、一覧出力された画像一覧の中から好ましい処理を選択でき、原稿が形成されたメーカーや機種、あるいは解像度に応じた処理を容易に選択することができる。
【００５５】
また、本発明の画像形成装置（請求項４）は、請求項１〜３のいずれか一つに記載の画像形成装置において、さらに、複数の画質モードの中からモニタ画像の生成に使用する複数の画質モードを予め指定するための指定手段を備え、画像処理手段が，指定手段を介して画質モードが指定された場合、特定領域に相当する画像データを入力し、指定された画質モードを用いて画像処理を施した複数のモニタ画像データを生成するため、使用者の目的にあった画像を出力するために必要と思われる画質モードだけを選択することができ、さらに無駄を省くことができる。
【００５６】
また、本発明の画像形成装置（請求項５）は、請求項１〜４のいずれか一つに記載の画像形成装置において、画像処理手段が、モニタ画像データと共に、各モニタ画像データがそれぞれどの画質モードに対応するかを示すモード特定情報を生成するため，各モニタ画像毎に番号または画質モード名等を明記することができ、それぞのモニタ画像が何モードであるのか容易に認識でき、操作性・作業性の向上を図ることができる。
【００５７】
また、本発明の画像形成装置（請求項６）は、請求項１〜５のいずれか一つに記載の画像形成装置において、特定領域設定手段が、特定領域を設定する際に、指定されている転写材に特定領域に基づいて形成される複数のモニタ画像が収まるような設定のみを可能とするため、モニタ画像が用紙に入りきらないようなミスを防止することが可能となり、個々の原稿に適した画質モードの選択をモニタ画像を見て簡単に選択して処理させることができる。
【００５８】
また、本発明の画像形成装置（請求項７）は、請求項１〜６のいずれか一つに記載の画像形成装置において、さらに、転写材上に形成される複数のモニタ画像の配置を指定または変更するモニタ画像配置指定手段を備えたため、画質モード毎のモニタ画像を自由に並べ替えることによって出力されたモニタ画像の比較が容易になり、これによって、原稿種、原稿の製造元、あるいは機種などに応じて使用者側で色補正を行わせることが可能となる。
【００５９】
また、本発明の画像形成装置（請求項８）は、請求項１〜７のいずれか一つに記載の画像形成装置において、さらに、モニタ画像の変倍を指定するモニタ画像変倍手段を備えたため、原稿全体を比較したい場合には、縮小画像を、原稿の一部分について比較したい場合には拡大して領域を指定することが可能となり、モニタ画像の比較が容易になる。また、最終的に複写する原稿と指定領域の縮尺を同じにすることによって仕上がりに近い形で比較することができる。
【００６０】
また，本発明の画像形成装置（請求項９）は、読み取り位置に配置した原稿画像を光学的に走査して画像データを読み取る画像読取手段と、画像読取手段から画像データを入力して，画像処理を施す画像処理手段と、画像処理手段で画像処理を施した画像データに基づいて転写材上に画像を形成する画像形成手段と、を有する画像形成装置において、予め画像読取手段で読み取る原稿種に応じた画像処理パラメータが設定された画質モードの中から所望の画質モードを選択するための画質モード選択手段を備え、画質モード選択手段は、画質モードの中から所望の画質モードを選択する際に、同一の原稿種の画質モードにおいて複数の画像処理パラメータの組の中から所望の画像処理パラメータの組を選択可能であるため、種々な原稿に対して最適な複写結果物を得ることができる。
【００６１】
また、本発明の画像形成装置（請求項１０）は、請求項９に記載の画像形成装置において、同一の原稿種の画質モードにおいて選択可能な複数の画像処理パラメータの組は、原稿種を形成するプリンタのメーカーまたは複写機のメーカー、もしくはプリンタの機種または複写機の機種に対応した設定であるため、さらに原稿に応じて望ましい複写物を得ることが可能となる。
【００６２】
また、本発明の画像形成装置（請求項１１）は、請求項９または１０に記載の画像形成装置において、同一の原稿種の画質モードにおいて選択可能な複数の画像処理パラメータの組は、原稿種の解像度または色材の色味などに対応した設定であるため、さらに原稿に応じて望ましい複写物を得ることが可能となる。
【００６３】
また、本発明の画像形成装置（請求項１２）は請求項９〜１１のいずれか一つに記載の画像形成装置において、同一の原稿種の画質モードとは、印画紙、インクジェット、トナーを使用したプリンタの出力または複写物、印刷、熱転写原稿、地図のいずれかであるため、１つの原稿種あるいは画質モードに対して、複数の画像処理パラメータの組を設定しておき、必要に応じて選択を行うことができ、原稿に応じて望ましい複写物を得ることが可能となる。
【００６４】
また、本発明の画像形成装置（請求項１３）は、請求項９〜１２のいずれか一つに記載の画像形成装置において、同一の原稿種の画質モードに対して設定された画像処理パラメータは、空間フィルタ、階調変換テーブル、ディザ、色変換係数および文字と写真の判定基準のいずれかを含むため、複数の画像処理パラメータの組を設定しておき、必要に応じて選択を行うことができ、原稿に応じて望ましい複写物を得ることが可能となる。
【００６５】
また、本発明の画像形成装置（請求項１４）は、読み取り位置に配置した原稿画像を光学的に走査して画像データを読み取る画像読取手段と、画像読取手段から画像データを入力して，画像処理を施す画像処理手段と、画像処理手段で画像処理を施した画像データに基づいて転写材上に画像を形成する画像形成手段と、を有する画像形成装置において、原稿画像の中の複数の画像領域に対応させて切り替え可能であって、画像読取手段から出力される画像データを階調変換する複数の第１の階調変換テーブルと、第１の階調変換テーブルから出力された画像データを記憶する記憶手段と、記憶手段に記憶された画像データを第１の階調変換テーブルに入力する第１の入力手段と、画像読取手段から出力される画像データと記憶手段から出力される画像データとを切り替えて第１の階調変換テーブルに入力する第２の入力手段と、複数の画像領域に対応させて切り替え可能であって、画像読取手段からの出力信号を使用する色材に対応させて色補正を行なう色補正手段と、複数の画像領域に対応させて切り替え可能であって、色補正手段によって補正された後の画像データを階調変換する第２の階調変換テーブルと、を備えたため、原稿の種類や印刷用の設定にかかわらず、コストアップさせることなく色再現性の良い画像形成装置を提供することができる。
【００６６】
また、本発明の画像形成装置（請求項１５）は、請求項１４に記載の画像形成装置において、第１の階調変換テーブルの切り替えは、階調変換を行わない無変換用階調変換テーブルと、階調変換を行う変換用階調変換テーブルとの間で実行されるため、階調変換テーブルの数を抑制し、コストを抑えながら画質の向上を図ることができる。
【００６７】
また、本発明の画像形成装置（請求項１６）は、請求項１４に記載の画像形成装置において、さらに、第１の階調変換テーブルに原稿画像内の複数の領域に対応するパラメータを設定し、記憶手段から指定された領域の画像データを必要に応じて読み出し、第１の階調変換テーブルによって階調変換し、階調変換された画像データを記憶手段に記憶させる制御を行う制御手段を備え、制御手段は、必要回数制御を繰り返すため、必要に応じて最適な画像処理が実行されることになり、複数の原稿種が存在する原稿全体の画質を飛躍的に向上させることができる。
【００６８】
また、本発明の画像形成装置（請求項１７）は、請求項１４または１５に記載の画像形成装置において、第１の階調変換テーブルは、印画紙原稿、蛍光ペンを使用した原稿、および熱転写で印字された原稿のいずれかの原稿に対応した画質モードを備えているため、１枚の原稿中に複数種類の原稿種が存在する場合でも、全ての原稿種の色再現性を向上させることができる。
【００６９】
また、請求項１８に係る画像形成装置は、請求項１４〜１７のいずれか一つに記載の画像形成装置において、第１の階調変換テーブルが、濃度を変換するモードを備えているため、適切な階調変換テーブルを設定することによって原稿中の特定領域内の濃度を変更することが容易に行える。
【発明を実施するための最良の形態】
【００７０】
以下、本発明の画像形成装置を電子写真複写機（以下、単に複写機と言う）に適用した場合を例として、〔実施の形態１〕、〔実施の形態２〕、〔実施の形態３〕、〔実施の形態４〕の順で、添付の図面を参照して詳細に説明する。
【００７１】
〔実施の形態１〕
図１は、実施の形態１の複写機の概略構成図を示し、図において、複写機本体１０１のほぼ中央部に配置された像担持体としてのφ１２０［ｍｍ］の有機感光体（ＯＰＣ）ドラム１０３の周囲には、該感光体ドラム１０３の表面を帯電する帯電チャージャ１０４と、一様に帯電された感光体ドラム１０３の表面上に半導体レーザ光を照射して静電潜像を形成するレーザ光学系１０５と、静電潜像に各色トナーを供給して現像し、各色毎にトナー像を得る黒現像装置１０６およびイエローＹ、マゼンタＭ、シアンＣの３つのカラー現像装置１０７、１０８、１０９と、感光体ドラム１０３上に形成された各色毎のトナー像を順次転写する中間転写ベルト１１０と、中間転写ベルト１１０に転写電圧を印加するバイアスローラ１１１と、転写後の感光体ドラム１０３の表面に残留するトナーを除去するクリーニング装置１１２と、転写後の感光体ドラム１０３の表面に残留する電荷を除去する除電部１１３と、が順次配列されている。
【００７２】
また、中間転写ベルト１１０には、転写されたトナー像を転写材に転写する電圧を印加するための転写バイアスローラ１１４および転写材に転写後に残留したトナー像をクリーニングするためのベルトクリーニング装置１１５が配設されている。この中間転写ベルト１１０から剥離された転写材を搬送する搬送ベルト１１６の出口側端部には、トナー像を加熱および加圧して定着させる定着装置１１７が配置されていると共に、この定着装置１１７の出口部には、排紙トレイ１１８が取り付けられている。
【００７３】
レーザ光学系１０５の上部には、複写機本体１０１の上部に配置された原稿載置台としてのコンタクトガラス１１９、このコンタクトガラス１１９上の原稿に走査光を照射する露光ランプ１２０が設けられ、原稿からの反射光を反射ミラー１２１によって結像レンズ１２２に導き、光電変換素子であるＣＣＤ（Ｃｈａｒｇｅ  Ｃｏｕｐｌｅｄ  Ｄｅｖｉｃｅ）のイメージセンサアレイ１２３に入光させる。ＣＣＤのイメージセンサアレイ１２３で電気信号に変換された画像信号は画像処理部（図３参照）を経て、レーザ光学系１０５中の半導体レーザのレーザ発振を制御する。
【００７４】
次に、複写機に内蔵される制御系について図２を参照して説明する。
図２に示しすように制御系は、メイン制御部（ＣＰＵ）３０を備え、このメイン制御部３０に対して所定のＲＯＭ３１およびＲＡＭ３２が付設されていると共に、メイン制御部３０には、インターフェース（Ｉ／Ｏ）３３を介してレーザ光学系制御部３４、電源回路３５、光学センサ３６、トナー濃度センサ３７、環境センサ３８、感光体表面電位センサ３９、トナー補給回路４０、中間転写ベルト駆動部４１、操作部４２等がそれぞれ接続されている。
【００７５】
また、レーザ光学系制御部３４はレーザ光学系１０５のレーザ出力を調整するものであり、電源回路３５は帯電チャージャー１０４に対して所定の帯電用放電電圧を与えると共に、現像装置１０６、１０７、１０８、１０９に対して所定電圧の現像バイアスを与え、かつバイアスローラ１１１および転写バイアスローラ１１４に対して所定の転写電圧を与えるものである。
【００７６】
光学センサ３６は、感光体ドラム１０３の転写後の領域に近接配置される発光ダイオードなどの発光素子とフォトセンサなどの受光素子とからなり、感光体ドラム１０３上に形成される検知パターン潜像のトナー像におけるトナー付着量および地肌部におけるトナー付着量が各色毎にそれぞれ検知されると共に、感光体除電後のいわゆる残留電位が検知されるようになっている。
【００７７】
この光学センサ３６からの検知出力信号は、図示を省略した光電センサ制御部に印加されている。光電センサ制御部は、検知パターントナー像におけるトナー付着量と地肌部におけるトナー付着量との比率を求め、その比率値を基準値と比較して画像濃度の変動を検知し、トナー濃度センサ３７の制御値の補正を行っている。
【００７８】
さらに、トナー濃度センサ３７は、現像装置１０６〜１０９において、現像装置１０６〜１０９内に存在する現像剤の透磁率変化に基づいてトナー濃度を検知する。トナー濃度センサ３７は、検知されたトナー濃度値と基準値と比較し、トナー濃度が一定値を下回ってトナー不足状態になった場合に、その不足分に対応した大きさのトナー補給信号をトナー補給回路４０に印加する機能を備えている。
【００７９】
電位センサ３９は、像担持体である感光体ドラム１０３の表面電位を検知し、中間転写ベルト駆動部４１は、中間転写ベルトの駆動を制御する。
【００８０】
黒現像器１０６内に黒トナーとキャリアを含む現像剤が収容されていて、これは、現像剤攪拌部材４４の回転によって攪拌され、現像剤攪拌部材４４によってスリーブ上に汲み上げられる。この供給された現像剤は、現像スリーブ４５上に磁気的に担持されつつ、磁気ブラシとして現像スリーブ４５の回転方向に回転する。
【００８１】
次に、図３のブロック図に基づいて、複写機の画像処理部について説明する。図３において、２２０はスキャナ、２０１はシェーディング補正回路、２０２はスキャナγ変換回路、２０３はエリア処理回路、２０４は画像分離回路、２０５はＭＴＦフィルタ、２０６は色変換ＵＣＲ処理回路、２０７は変倍回路、２０８は画像加工（クリエイト）回路、２０９は画像処理用プリンタγ補正回路、２１０は階調処理回路、２１１および２２３はＩ／Ｆ・セレクタ、２１２は画像形成用プリンタγ（以後プロコンγと呼ぶ）補正回路、２１３はプリンタ、２２１および２２２はそれぞれパターン生成回路、２２４は画像メモリを示す。
【００８２】
そして、スキャナ２２０、シェーディング補正回路２０１、エリア処理回路２０３、インターフェースＩ／Ｆ２２３、スキャナγ変換回路２０２、画像分離回路２０４、ＭＴＦフィルタ２０５、色変換ＵＣＲ処理回路２０６、パターン生成回路２２１、変倍回路２０７、画像加工（クリエイト）回路２０８、画像処理用プリンタγ補正回路２０９、階調処理回路２１０、パターン生成回路２２１、画像メモリ２２４、ＣＰＵ３０、ＲＯＭ３１、ＲＡＭ３２によってスキャナ・ＩＰＵ部（画像読み取り、画像処理部）が形成され、画像形成用プリンタγ（以後プロコンγと呼ぶ）補正回路２１２、プリンタ２１３、Ｉ／Ｆ・セレクタ２１１、システムコントローラ２１７、パターン生成回路２２２によってプリンタ部（画像形成部）が形成される。
【００８３】
複写する原稿は、カラースキャナ２２０によりＲ、Ｇ、Ｂに色分解されて一例として１０ビット信号で読み取られる。読み取られた画像信号（画像データ）は、シェーディング補正回路２０１により、主走査方向のムラが補正され、１０ビット信号で出力される。スキャナγ変換回路２０２では、スキャナからの読み取り信号が反射率データから明度データに変換された入力信号（１０ビット信号）を８ビット信号に変換する。
【００８４】
エリア処理回路２０３では、現在処理を行っている画像データが原稿内のどの領域に属するかを区別するための領域信号（エリア信号）を発生させる。この回路で発生された領域信号により、後段の画像処理部で用いるパラメータを切り替える。これらの領域は、指定領域毎に、文字、銀塩写真（印画紙）、印刷原稿、インクジェット、蛍光ペン、地図、熱転写原稿など、それぞれの原稿に最適な色補正係数、空間フィルタ、階調変換テーブルなどの画像処理パラメータをそれぞれ画像領域に応じて設定することができる。
【００８５】
画像メモリ２２４は、４００ＤＰＩのスキャナ２２０で読み取った画像データを記憶するためのメモリで、４００ＤＰＩの解像度でＡ４サイズの画像データを記憶できるように１６ＭｂｙｔｅｓのメモリをＲＧＢ３色分持っている。
【００８６】
画像分離回路２０４では、文字部と写真部の判定、および有彩色・無彩色判定が行われる。
【００８７】
インターフェース（Ｉ／Ｆ）２２３は、スキャナで読み取った画像を外部に出力する際に使用する。複写機のようにプリンタ部（画像形成部）とスキャナ・ＩＰＵ部（画像読取・画像処理部）として使用する場合には、プリンタ部のＩ／Ｆ・セレクタ２１１から外部装置に読み取った画像データを取り出すことができる。
【００８８】
ＭＴＦフィルタ２０５では、シャープな画像やソフトな画像など、使用者の好みに応じてエッジ強調や平滑化等、画像信号の周波数特性を変更する処理が行われる。
【００８９】
色変換ＵＣＲ処理回路２０６では、入力系の色分解特性と出力系の色材の分光特性の違いを補正し、忠実な色再現に必要な色材ＹＭＣの量を計算する色補正処理部と、ＹＭＣの３色が重なる部分をＢｋ（ブラック）に置き換えるためのＵＣＲ処理部からなる。すなわち、色補正処理は下式のようなマトリクス演算をすることにより実現できる。
【００９０】
【数１】
2006060830.tif 000003
【００９１】
ここで、バーＲ、バーＧ、バーＢは、Ｒ、Ｇ、Ｂの補数を示す。マトリクス係数ａｉｊは入力系と出力系（色材）の分光特性によって決まる。ここでは、１次マスキング方程式を例に挙げたが、バーＢ2 、バーＢＧのような２次項、あるいはさらに高次の項を用いることにより、より精度良く色補正することができる。また、色相によって演算式を変えたり、ノイゲバウアー方程式を用いるようにしても良い。何れの方法にしても、Ｙ、Ｍ、ＣはバーＲ、バーＧ、バーＢ（またはＢ、Ｇ、Ｒでもよい）の値から求めることができる。
【００９２】
一方、ＵＣＲ処理は次式を用いて演算することにより行うことができる。
Ｙ'  ＝  Ｙ−α・ｍｉｎ（Ｙ，Ｍ，Ｃ）
Ｍ'  ＝  Ｍ−α・ｍｉｎ（Ｙ，Ｍ，Ｃ）
Ｃ'  ＝  Ｃ−α・ｍｉｎ（Ｙ，Ｍ，Ｃ）
Ｂｋ  ＝      α・ｍｉｎ（Ｙ，Ｍ，Ｃ）
上式において、αはＵＣＲの量を決める係数で、α＝１の時１００％ＵＣＲ処理となる。αは一定値でも良い。例えば、高濃度部では、αは１に近く、ハイライト部（低画像濃度部）では、０に近くすることにより、ハイライト部での画像を滑らかにすることができる。
【００９３】
変倍回路２０７では縦横変倍が行われ、画像加工（クリエイト）回路２０８では、リピート処理などが行われる。
【００９４】
画像処理用プリンタγ補正回路２０９では、文字、写真などの画質モードに応じて、画像信号の補正が行われる。ここで、画質モードとは、文字、銀塩写真（印画紙）原稿、印刷原稿、インクジェット、蛍光ペン、地図、熱転写原稿などのシート物の原稿種類に応じた画像処理パラメータの設定を中心に述べている。このほかにも、金属、繊維物などの立体物に応じた画像処理パラメータの設定を含んでも良い。また、ＵＣＲ量の大小に応じた設定、空間フィルタ係数の平滑化、エッジ強調などの度合いの強弱の設定、ドット集中型や誤差拡散などのディザの設定などの画像処理パラメータの違いに応じた設定を含んでも良い。
【００９５】
また、地肌飛ばしなども同時に行うこともできる。この画像処理用プリンタγ補正回路２０９は、前述したエリア処理回路２０３が発生した領域信号に対応して切り替え可能な複数本（一例として１０本）の階調変換テーブルを有する。この階調変換テーブルは、文字、銀塩写真（印画紙）、印刷原稿、インクジェット、蛍光ペン、地図、熱転写原稿など、それぞれの原稿に最適な階調変換テーブルを複数の画像処理パラメータの中から選択することができる。
【００９６】
次に、階調処理回路２１０でディザ処理が行われる。階調処理回路２１０の出力は、画素周波数を１／２に下げるため、２画素分のデータを同時にプリンタ部に転送することができるように、画像データバスは、１６ビットの幅（８ビットの画像データの２本分）を有する。
【００９７】
Ｉ／Ｆ・セレクタ２１１は、スキャナ２２０で読み込んだ画像データを外部の画像処理装置などで処理するために、出力したり、外部のホストコンピュータやあるいは画像処理装置からの画像データをプリンタ２１３で出力するための切り替え機能を有する。
【００９８】
画像形成用プリンタγ（プロコンγ）補正回路２１２は、Ｉ／Ｆ・セレクタ２１１からの画像信号を階調変換テーブルで変換し、後述するレーザ変調回路に出力する。
【００９９】
前述したように実施の形態１では、Ｉ／Ｆ・セレクタ２１１、画像形成用プリンタγ補正回路２１２、プリンタ２１３およびシステムコントローラ２１７でプリンタ部が構成されており、スキャナ・ＩＰＵ部とは独立して使用可能である。ホストコンピュータ２１８からの画像信号はプリンタコントローラ２１９を通してＩ／Ｆ・セレクタ２１１に入力され、画像形成用プリンタγ補正回路２１２により階調変換され、プリンタ２１３により画像形成が行われることにより、プリンタ部として使用できる。
【０１００】
以上の画像処理部はＣＰＵ３０により制御される。ＣＰＵ３０は、ＲＯＭ３１およびＲＡＭ３２およびスキャナ・ＩＰＵ部の各部とＢＵＳ２２３を介して接続されている。また、ＣＰＵ３０はシリアルＩ／Ｆを通じて、システムコントローラー２１７と接続されており、操作部４２（図２参照）などからのコマンドが、システムコーラ２１７を通じて送信される。送信された画質モード、濃度情報および領域情報等に基づいて上述したそれぞれの画像処理回路に各種パラメータが設定される。パターン生成回路２２１、２２２はそれぞれ画像処理部、画像形成部で使用する階調パターンを発生する。
【０１０１】
すなわち、図４に示す様に、原稿上の指定されたエリア情報と画像読み取り時の読み取り位置情報とを比較し、エリア処理回路２０３からエリア信号を発生させる。エリア信号に基づいて、スキャナγ変換回路２０２、ＭＴＦフィルタ２０５、色変換ＵＣＲ回路２０６、画像加工回路２０８、画像処理用プリンタγ補正回路２０９、階調処理回路２１０で使用するパラメータを変更する。ここでは、特に、画像処理用プリンタγ補正回路２０９、階調処理回路２１０を詳しく図示する。
【０１０２】
画像処理用プリンタγ補正回路２０９内では、エリア処理回路２０３からのエリア信号をデコーダ１でデコードし、セレクタ１により、文字、インクジェットなどの複数の階調変換テーブルの中から所定の階調テーブルを選択する。なお、図５に示す原稿の例では、文字の領域０と、印画紙の領域１と、インクジェットの領域２が存在する例を図示している。文字の領域０に対しては、文字用の階調変換テーブル１、印画紙の領域１に対しては、印画紙用の階調変換テーブル３、インクジェットの領域２に対しては、インクジェット用の階調変換テーブル２がそれぞれ選択される。
【０１０３】
画像処理用プリンタγ補正回路２０９で階調変換された画像信号（画像データ）は、階調処理回路２１０の中で再びエリア信号に対応させてデコーダ２によってデコードされた信号に基づいて、セレクタ２により、使用する階調処理を切り替える。使用可能な階調処理としては、ディザを使用しない処理、ディザを行った処理、誤差拡散処理などを行う。なお、誤差拡散処理はインクジェット原稿に対して行う。
【０１０４】
階調処理後の画像信号は、デコーダ３により、読み取り位置情報に基づいてライン１であるか、またはライン２であるかが選択される。ライン１およびライン２は副走査方向に１画素異なる毎に切り替えられる。ライン１のデータはセレクタ３の下流に位置するＦＩＦＯ（Ｆｉｒｓｔ  Ｉｎ  Ｆｉｒｓｔ  Ｏｕｔ）メモリに一時的に蓄えられ、ライン１とライン２のデータが出力される。これにより、画素周波数を１／２に下げてＩ／Ｆ・セレクタ２１１に入力させることができる。
【０１０５】
次に、図５を参照して、ライン１、ライン２の画像データのそれぞれに対応して用意されたレーザ変調回路について説明する。ここで、書き込み周波数は、１８．６［ＭＨｚ］であり、１画素の走査時間は、５３．８［ｎｓｅｃ］であるとする。また、８ビットの画像データはルックアップテーブル（ＬＵＴ）１５１でγ変換を行うことができる。
【０１０６】
パルス幅変調回路（ＰＷＭ）１５２で８ビットの画像信号の上位３ビットの信号に基づいて８値のパルス幅に変換され、パワー変調回路（ＰＭ）１５３で下位５ビットで３２値のパワー変調が行われ、レーザダイオード（ＬＤ）１５４が変調された信号に基づいて発光する。フォトディテクタ（ＰＤ）１５５で発光強度をモニタし、１ビット毎に補正を行う。レーザ光の強度の最大値は、画像信号とは独立に８ビット（２５６段階）に可変できる。
【０１０７】
また、１画素の大きさに対し、主走査方向のビーム径（これは、静止時のビームの強度が最大値に対し、１／ｅ2 に減衰するときの幅として定義される）は、９０％以下、望ましくは８０％である。６００ＤＰＩ、１画素４２．３［μｍ］では、ビーム径は主走査方向５０［μｍ］、副走査方向６０［μｍ］が使用される。
【０１０８】
図４のライン１、ライン２の画像データのそれぞれに対応して、図５に示したレーザ変調回路が用意されている。ここでは、ライン１およびライン２の画像データは同期しており、感光体上を主走査方向に並行して走査する。
【０１０９】
次に、モニタコピー機能の動作および処理について説明する。モニタコピー機能は、原稿に対してもっとも適した画質モードを選択設定するための機能である。モニタコピー機能の動作を図６のフローチャートに基づいて説明する。
【０１１０】
図６に示すモニタコピー出力処理のフローチェートにおいて、先ず、複写機本体１０１の上面に設けられた操作部４２の液晶画面３０１（図７参照）に表示されいるモード指定キー群（ただし、ここで表示を省略する）から画像モニタモードキーを選択する（Ｓ６０１）。
【０１１１】
次に、使用者が、コピーをしようとする原稿を原稿載値台上にセットする（Ｓ６０２）と、操作部（図７）の液晶画面３０１に、図８に示す様に原稿が映し出される。
【０１１２】
続いて、ステップＳ６０３において、モニタする特定領域を指定する。ここで、液晶画面３０１はタッチパネルキーとなっており、画面上の任意の点を指先等で軽く触れることにより、画面上の位置を指定することができる。液晶画面３０１上の表示を図示した図８中には、原稿を写した画面３１１、モニタコピーをする原稿の位置を指定するためのカーソル３１２、カーソルを移動させるための上下左右の矢印キー３１３、表示するための画面を拡大あるいは等倍表示するためのキー３１４、原稿を変更して再読み込みを行うための読み取りキー３１５が図示されている。
【０１１３】
例えば、原稿を表示した画面３１１に映し出された原稿で注目する部分の中央付近を指定する。これにより、入力された位置を中心とする所定の大きさの領域が指定領域として設定される。領域を指定する必要がない場合には確定キー３１６を選択すると、ステップＳ６０４で自動的に指定領域が設定される。また、説明を省略するが、このときの指定領域の形状ついては前もって設定することができるものである。
【０１１４】
続いて、操作部４２のスタートキー３０２（図７参照）を押すと、モニタ画像の形成がなされる（Ｓ６０５）。
【０１１５】
次に、図９のフローチャートを参照して、モニタ画像形成処理についてさらに詳細に説明する。図６のステップＳ６０５において、スタートキー３０２が押されると、ＣＰＵ３０はモニタ画像形成処理を開始し、先ず、ＲＯＭ３１からモニタ出力する画質モードについて画像処理パラメータなどの必要情報を呼び出す（Ｓ６０６）。次に、原稿中の特定領域をスキャナ２２０で読み取り、画像メモリ２２４中に記憶する（Ｓ６０７）。
【０１１６】
続いて、モニタ出力する画像データを画像メモリ２２４から読み出し（Ｓ６０８）、画質モードに対応した画像処理パラメータを用いて画像処理を行う（Ｓ６０９）。その後、複数の画質モードによって画像処理が行われた特定領域の画像を同一用紙上の異なる位置に形成し、モニタコピー画像（モニタ画像）を形成した転写紙を排出する（Ｓ６１０）。すなわち、図３で示したプリンタ部において、書き込みユニットによって潜像を形成し、ＹＭＣＫトナーによる顕像化が行われ、転写紙上にモニタ画像が形成される。
【０１１７】
そして、必要枚数を出力したか否かを判定し（Ｓ６１１）、必要枚数出力していれば処理を終了する。例えば、出力する枚数が２枚である場合には、１枚排出した後に、再び、ステップＳ６０８から実行し、その後、終了する。
【０１１８】
図１０はモニタ画像の一例を示している。例えば、選択可能な画質モードが８種類ある場合、同じモニタ原稿（特定領域の画像：本発明のモニタ画像データ）に対して４種類の画質モードで１枚の用紙の異なる位置に画像（モニタ画像）が形成され、２枚の用紙に合計８種類の画質モード毎の画像（モニタ画像）が形成される。
【０１１９】
なお、このモニタ画像中に形成される画質モードとして以下の設定の一部または全部を含んでも良い。
１．シート物の原稿種類に応じた画像処理パラメータの設定として、文字、銀塩写真（印画紙）原稿、印刷原稿、インクジェット、蛍光ペン、地図、熱転写原稿などである。
２．立体物の原稿種類に応じた画像処理パラメータの設定として、貴金属・金属・繊維物などである。
３．画像処理パラメータの設定として、ＵＣＲ量の大小が異なる設定として、空間フィルタ係数の平滑化度合い・エッジ強調度合いの強弱が異なる設定、ドット集中型や誤差拡散などのディザの方式やディザサイズなどが異なる設定、などの画像処理パラメータの違いに応じた設定などである。
【０１２０】
また、特定の画質モードに対してどこのメーカで形成された物であるかなどに応じて、画像処理パラメータを変更し、モニタコピー画像として出力することもできる。
【０１２１】
一例として、インクジェット原稿を例にあげると、インクジェット原稿は、インクジェットプリンタの製造元および機種によりインクの色味や解像度などが異なる。このため、同一の画像処理では、どこの製造元のプリンタによって形成されたインクジェット原稿かによって、コピーしたものの色再現が良好であったり、逆に不十分であったりする場合がある。
【０１２２】
上記の不具合を防ぐため、インクジェットモードには、それぞれのインクジェット原稿にできる限り忠実な画像をするため、製造元および機種に応じた何通りかの画像処理パラメータを予め用意している。これを、実施の形態１では後述するようにインクジェットモード１〜８などとして設定している。
【０１２３】
例えば、モニタ画像出力時に、インクジェットモードを選択すると、原稿中の特定領域をインクジェットモード１〜８の画像処理パラメータによって処理し、モニタ画像中に出力する。使用者は、インクジェットモード１〜８の画像処理パラメータによって出力されたモニタ画像の中から、原稿を最もよく再現しているモニタ画像を選択する。例えば、選択されたモニタ画像がインクジェットモード３であるとすると、原稿をインクジェットモード３でコピーすることにより最適な画像を得ることができる。
【０１２４】
このようにすることにより、使用者は、原稿が形成されたインクジェットプリンタの製造元や機種、あるいは解像度に応じた処理を特に意識せずに、最も好ましく再現する画像処理を容易に選択することができる。
【０１２５】
図１１にインクジェットモード１〜８の画像処理パラメータの設定例を示す。ここで、インクジェットモード１〜３はインクジェットプリンタの製造メーカーがＡ、インクジェットモード４〜６はインクジェットプリンタの製造メーカーがＢ、インクジェットモード７〜８はインクジェットプリンタの製造メーカーがＣである。インクジェットプリンタの製造メーカーが異なることにより、使用するインクの色味が異なるため、インクジェットモードが使用する色補正係数は、それぞれＡ〜Ｃとしている。
【０１２６】
インクジェットモード１〜３のうち、インクジェットモード１、２は、同一の製造メーカーではあるが機種の違いによって設定が異なっている。インクジェットモード１が対応するインクジェットプリンタは４色インクを使用し、インクジェットモード２が対応するインクジェットプリンタは６色インクを使用している。このため、この２つの機種では色再現域や再現された色味が異なり、インクジェットモードで使用する色補正係数を異ならせる必要がある。インクジェットモード１、３は、原稿の解像度（一例として、７２０ＤＰＩおよび１８０ＤＰＩ、ＤＰＩは、ｄｏｔ  ｐｅｒ  ｉｎｃｈ）が異なることに対応して、画像処理の空間フィルタ係数の平滑化の度合いを変更し、モアレの低減を行えるようにしている。
【０１２７】
次に、図１１中の画像分離結果の使用・不使用の項目について説明する。
画像処理では、原稿中に含まれる文字の再現性と写真の再現性を高めるために、それぞれの画像処理パラメータを変更させている。通常の原稿は、１枚の原稿中に文字画像と写真画像とが混在しているために、スキャナで画像を読み取りながら、走査された画像データおよびその周囲の画像データから逐次的に文字画像用の処理を行うか、もしくは写真画像用の処理を行うかを判断している。
【０１２８】
これは、自動文字・写真分離であり、画像分離回路２０４に適切なパラメータを設定することにより、白地肌上の文字、網点上の文字、網点、写真などの判断結果（画像分離結果と呼ぶ）を後段の画像処理ブロック２０５〜２１０に伝達する。後段の画像処理ブロック２０５〜２１０は、この分離結果に基づいて画像処理パラメータを切り替えている。ところが、このパラメータは、原稿の解像度に依存し、画像分離回路２０４に設定したパラメータの決定時に想定した原稿の解像度と、実際の原稿の解像度とが異なる場合には、文字を写真と判断したり、写真を文字と判断するなど、いわゆる分離エラーを発生する場合があり、これによって望ましくない画像が得られることがある。
【０１２９】
インクジェット原稿の場合、解像度が１０線相当の低解像度ものから３６０線相当の高解像度のものが存在するため、原稿がどの解像度によって形成されたものであるかに応じて、画像分離パラメータを変更する必要がある。なお、ここでは、低解像度の原稿に対しては分離結果を使用しないように空間フィルタを設定している。
【０１３０】
また、階調処理は、前述したディザのほか、インクジェット原稿で使用される誤差拡散処理を原稿にあわせて選択できる。
【０１３１】
次に、図１２のモニタコピー出力処理のフローチャートを参照して、モニタコピー出力処理においてモニタコピーする画質モードを選択して出力する場合について説明する。画質モードが多数ある場合に、モニタコピーを行いたい画質モードだけを選択すれば、出力枚数が多くならず、転写紙やトナーの節約になる。
【０１３２】
まず、複写機本体１０１上面に設けられた操作部４２の液晶画面３０１において、（図示しない）画像モニタモードキーを選択し（Ｓ６１２）、次に、モニタ画像として出力する画質モードを選択する（Ｓ６１３）。
【０１３３】
なお、この出力する画質モードの選択は以下のように行う。図１３に示す画面３０１で、"画質モード選択"を選択すると図１４の画面が表示される。使用者は、図１４に示した画質モードの中からモニタ画像を出力したい画質モードを選択する。例えば、インクジェットモードはインクジェットプリンタの製造元および機種によりインクの色味や解像度などが変わる。したがって、それぞれのインクジェット原稿に近い画像を再現するため、製造元および機種に応じた何通りかの画像処理パラメータが用意されている。このような場合に、使用者はインクジェットモードＡを指定することでインクジェットモード１〜８すべてを指定することができる（ここでは、Ａは全て選択することを意味する）。また、使用者の経験から１〜８の中から数字を指定することもできる。
【０１３４】
次に、使用者が、ここでコピーをしようとする原稿を原稿載値台上にセットすると（Ｓ６１４）、図８で示したように操作部４２の液晶画面３０１に原稿を写した画面３１１が映し出される。続いて、この画面３１１上でモニタする特定領域を指定する（Ｓ６１５）。例えば、画面３１１上に映し出された原稿で注目する部分の中央付近を指定する。これにより、入力された位置を中心とする所定の大きさの領域が指定領域として設定される。特に領域を指定する必要がない場合には操作せずに次のステップＳ６１６に移ると自動的に指定領域が設定される。そして、ステップＳ６１６でスタートキー３０２を押すと、モニタ画像の形成が実行される（Ｓ６１７）。
【０１３５】
ここで、画質モードの設定の際、使用者がモニタ画像の中から好ましい画像を選択したとしても、出力された転写紙上のモニタ画像が何モードかわからなければ、モニタ画像を確認して所望の画質モードを設定することはできない。そこで、どのモニタ画像がどの画質モードを示しているかが明らかになるように、モニタ画像の内側または近傍にモード名や記号を出力する。具体的には、画質モード名（文字データ）を、画像処理ユニット内のＲＯＭ３１から読み出してパターン生成回路２２１で画像データとして生成することにより、容易に実現できる。
【０１３６】
図１５は、モニタ画像と共に対応する画質モード名を転写紙上に出力した例を示し、図において、ｍａｐは地図モード、ｐｅｎ１、ｐｅｎ２は蛍光ペンモードで、１と２で色変換係数が異なっている。一例としてｐｅｎ１とｐｅｎ２の差異を挙げると、ｐｅｎ１とｐｅｎ２とはそれぞれ異なる蛍光ペンメーカーの再現性を向上させる色変換係数が設定されていても良いし、またｐｅｎ１は原稿の色味を強調させ、ｐｅｎ２では黒以外の濃度を薄く設定し、黒文字との差を強調するように設定しても良い。例えば、図１６に示すように、蛍光ペンモードおよび文字モードの画像処理パラメータを設定することができる。
【０１３７】
また、ｐｒｉｎｔは印刷原稿モード、ＩＪ１〜ＩＪ３はインクジェットモード１〜３を設定したものである。図１７に複写原稿モードと印刷写真原稿モードの画像処理パラメータを示す。
【０１３８】
Ｐｈｏｔｏ１は銀塩写真モード１を示している。図１８に銀塩写真モードの画像処理の設定を示す。
【０１３９】
なお、実施の形態１では、図１５に示すように、画質モード毎に文字データ（画質モード名）を出力する例を示したが、特にこれに限定するものではなく、例えば、画質モード毎に決まった番号をつけて番号で示すようにしても良い。
【０１４０】
次に、図１５に示したように転写紙上に分割して形成された複数のモニタ画像の中から特定の画質モードを選択し、操作部４２から選択した画質モードを入力（設定）する方法について説明する。操作部４２の液晶画面３０１には、図１９のような画面が表示される。図中の１、２は、モニタコピーの１枚目、２枚目を示す。使用者は、転写紙上に出力されたモニタ画像（図１５のモニタ画像）から好ましい仕上がりと思われる画像を選び、図１９の液晶画面３０１からその画像を指定する。図１９では、ｍａｐ、ｐｅｎ１などの名前が付いているが、液晶画面中の画像を転写紙上のモニタ画像と同じ配置にし、指定しやすくしてあるので、名前はなくても良い。また、配置を気にせずにモニタ画像と対応する記号だけを表示しても良い。これによって、使用者は画質モードの詳細を意識せずに、モニタ画像を見ただけで求める画質モードの画像を選択することができる。
【０１４１】
〔実施の形態２〕
実施の形態２の画像形成装置は、モニタ画像として処理する特定領域を設定する際に、指定されている転写材上に複数のモニタ画像が収まるような設定のみを可能とするようにしたものである。なお、実施の形態２の基本的な構成および動作は実施の形態１と同様につき、ここでは異なる部分のみを詳細に説明する。
【０１４２】
図２０は、実施の形態２のモニタコピー出力処理のフローチャートを示す。まず、複写機本体１０１上面に設けられた操作部４２の液晶画面３０１において、（図示しない）画像モニタモードキーを選択し（Ｓ７０１）、次に、モニタ画像として出力する画質モードを選択する（Ｓ７０２）。なお、この出力する画質モードの選択は、実施の形態１と同様に図１３および図１４の画面３０１を用いて行うものとする。
【０１４３】
次に、使用者が、ここでコピーをしようとする原稿を原稿載値台上にセットすると（Ｓ７０３）、図８で示したように操作部４２の液晶画面３０１に原稿を写した画面３１１が映し出される。続いて、この画面３１１上でモニタする特定領域を指定する（Ｓ７０４）。なお、特に指定する必要がないときには、操作せずにステップＳ７０５に移ると、自動的に指定領域が設定される。
【０１４４】
次いで、ステップＳ７０５でスタートキー３０２を押すと、モニタ画像の形成が実行される（Ｓ７０６）。
【０１４５】
ステップＳ７０４におけるモニタする特定領域の設定処理における具体的な処理は、以下のようになる。
【０１４６】
図８に示した液晶画面３０１はタッチパネルキーとなっており、画面上の任意の点を指先などで軽く触れることによって画面上の位置を指定することができる。図８の液晶画面３０１で、例えば、原稿を表示した画面３１１に映し出された原稿で注目する部分の中央付近を指定すると、指定された位置を中心とする所定の大きさの領域が指定領域として設定される。
【０１４７】
なお、この指定された領域の大きさは、図２０のフローチャートにおけるステップＳ７０２で選択した画質モードの数によって決まる。例えば、原稿で注目する部分の中央付近を指定した場合には、指定用紙に選択した画質モードが全て入り、指定領域の外枠の長さが一番短くなるように設定される。ただし、指定領域の形状については、前もって設定することができるものである。
【０１４８】
また、特定領域を指定する他の方法として、例えば、対角２点を指定する場合には、指定した領域に一番近い形状の枠が設定される。対角２点を指定する場合の一例について図２１を参照して説明する。図２１の画面３０１において、カーソル３１２を移動させて使用者が指定したい領域の対角２点のうちの始点３１２Ａを指定し、次に終点３１２Ｂにカーソル３１２を合わせる。対角２点に囲まれる画像領域が指定可能な大きさを越える場合には、指定領域に一番近い形状の最大領域が実線で表示され、指定領域となる。
【０１４９】
なお、図２１の画面３０１には、原稿を写した画面３１１、モニタコピーをする原稿の位置を指定するためのカーソル３１２、カーソルを移動させるための上下左右の矢印キー３１３、表示するための画面を拡大あるいは等倍表示するためのキー３１４、原稿を変更して再読み込みを行うための読み取りキー３１５、特定領域の指定を確定するための確定キー３１６が表示されている。
【０１５０】
また、図２２のフローチャートで示すように、特定領域に基づいて転写紙上に形成されるモニタ画像を並べ変えて出力させることもできる。すなわち、この処理では、先ず、操作部４２のの液晶画面３０１において、図示しない画像モニタモードキーを選択する（Ｓ７０７）。次に、コピーしようとする原稿を原稿載置台上にセットすると（Ｓ７０８）、図８で示したように操作部４２の液晶画面３０１に原稿を写した画面３１１が映し出される。続いて、この画面３１１上でモニタする特定領域を指定する（Ｓ７０９）。なお、特に指定する必要がないときには、確定キー３１６を選択すると自動的に指定領域が設定される。
【０１５１】
続いて、図２３に示すような画面が表示される。図において、符号「１」および「２」はモニタコピー（モニタ画像を形成された転写紙）の１枚目と２枚目をそれぞれ示す。なお、図２３の画面は、前述した図１５のモニタ画像の出力例に対応している。そして、ステップＳ７１０において、図２３の配置キー３２０を選択すると、図２４の表示画面が液晶画面３０１に映し出される。このステップＳ７１０で、使用者はモニタ画像を画質モード毎に比較しやすいように並べ替えることができる。
【０１５２】
さらに詳しく説明すると、例えば、図２４の液晶画面３０１はタッチパネルとなっているので、モード毎の画像領域（ここでは、ｍａｐ，ｐｅｎ１，ｐｅｎ２，ｐｒｉｎｔで示す画像領域）に触れることによってカーソル３１２を移動させ、操作部４２のテンキー３０３によって数字を設定すると、設定された数字の順番に指定領域が並び変わる。なお、カーソル３１２の移動は、カーソル移動キー３１３で行うこともできる。そして、ステップＳ７１１でスタートキー３０２（図７参照）を押下すると、ステップＳ７１２でモニタ画像が形成される。
【０１５３】
このようにモニタ画像を並べ替えて出力することにより、使用者が自分の好みでモニタ画像を比較できるので、モニタ画像の比較を容易に行うことができ、さらに利便性の向上を図ることができる。具体的には、ｐｅｎ１のモニタ画像とｐｅｎ２のモニタ画像を詳細に比較したい場合には、両者を左右に並べることにより、容易に比較することができるようになる。
【０１５４】
ところで、特定領域として指定したい画像の範囲が、１枚転写紙に複数形成することができないほど大きいことが考えられる。このような場合には、モニタ画像を１枚の用紙に並べ替えて比較することはできない。その場合には、変倍を行って、例えば１枚の転写紙に複数のモニタ画像を取り込んで比較する。この例を図２５のフローチャートを参照して説明する。
【０１５５】
この処理では、ステップＳ７１３からステップＳ７１５までは、前述の図２２のフローチャートにおけるステップＳ７０７からステップＳ７０９までのステップと同様の手順で処理する。そして、ステップＳ７１６で、特定領域の縮尺を変更する。具体的には、図８の表示画面３０１において、カーソル３１２を指定したい領域の中心に合わせると、これによって画質モードの数に応じた大きさの指定領域が画面３０１に映し出される（図示せず）。次に、画面を拡大、縮小、あるいは等倍表示するためのキー３１４を使用して好みの縮尺に合わせる。そして、ステップＳ７１７でスタートキー３０２（図７参照）を押下すると、ステップＳ７１８で指定された特定領域が設定された縮尺でモニタ画像として形成される。
【０１５６】
〔実施の形態３〕
実施の形態３の画像形成装置は、予め読み取る原稿種に応じた画像処理パラメータが設定された画質モードの中から所望の画質モードを選択するための画質モード選択手段を備え、該画質モード選択手段は、画質モードの中から所望の画質モードを選択する際に、同一の原稿種の画質モードにおいて複数の画像処理パラメータの組の中から所望の画像処理パラメータの組を選択可能であるものである。具体的には、原稿種に応じて画質モードを選択する際に、例えば、空間フィルタ、階調変換テーブル、ディザ、色変換係数などの画像処理パラメータのそれぞれにおいて、原稿を作成した様々なプリンタに合わせて予め複数設定されている画像処理パラメータの組から適正な組（または所望の組）を選択可能としたものである。なお、実施の形態３の基本的な構成および動作は実施の形態１と同様につき、ここでは異なる部分のみを詳細に説明する。
【０１５７】
図２６は、実施の形態３の操作部４２Ａの全体構成を示し、図２７は、操作部４２Ａの液晶画面４０１を示している。画質モードの選択は図２７の液晶画面４０１によって行う。図中では、画質モード選択キー４０２として、『自動文字・写真』、『文字』、『写真：印刷』、『写真：印画紙』、『特殊原稿』の５種類が選択可能となっている。
【０１５８】
ここで、『特殊原稿』に相当する画質モード選択キー４０２を選択すると、図２８の画面表示に切り替わる。この画面は、特殊原稿を選択するための画面で、原稿種選択キー４０３として、『複写原稿』、『地図』、『蛍光ペン』、『インクジェット』、『熱転写原稿』、『布地』、『ピクトログラフィー』の７種類が選択可能となっている。
【０１５９】
また、この原稿種選択キー４０３で選択可能な各画質モードは、１つ乃至複数種類の設定を有し、その中の１つの設定を、各々の画質モードのデフォルト値とするように選択可能となっている。
【０１６０】
図２９には、各々の画質モードのデフォルト値を選択する画面の一例である。ここでは、インクジェットの項目を例として説明する。図において、枠４０４で示す『インクジェット  ５／８』は、画質モードがインクジェット原稿の場合に、そのデフォルト値として選択可能な８種類のうちから５番目の設定が選ばれていることを意味している。
【０１６１】
枠４０４で示す『インクジェット  ５／８』のデフォルト値を変更する場合、先ず、タッチパネルを備えた液晶画面４０１上で『インクジェック』の表示部分を選択する。すると、図３０の画面が表示される。図３０においては、画質モードがインクジェットモードの場合のデフォルト値として１番から８番が選択可能であり、ここでは２番が選択された状態を示し、２番の設定の説明が詳細に表示されている。
【０１６２】
ここで、インクジェットモードによる複写の対象となるインクジェット原稿についてさらに詳細に説明する。インクジェット原稿は、インクジェットプリンタの製造元および機種によりインクの色味や解像度などが異なっている。そのため、同一の画像処理では、どこの製造元のプリンタによって形成されたインクジェット原稿かによって、コピーしたものの色再現が良好であったり、逆に不十分であったりする場合がある。
【０１６３】
上記の不具合を防ぐため、インクジェットモードには、それぞれのインクジェット原稿にできる限り忠実な画像をするために、製造元および機種に応じた何通りかの画像処理パラメータがあらかじめ用意されている。これを、実施の形態３ではインクジェットモード１〜８としている。
【０１６４】
インクジェットモード１〜３はインクジェットプリンタの製造メーカーがＡ、インクジェットモード４〜６はインクジェットプリンタの製造メーカーがＢ、インクジェットモード７〜８はインクジェットプリンタの製造メーカーがＣである。インクジェットプリンタの製造メーカーが異なることにより、使用するインクの色味が異なるため、それぞれのインクジェットモードで使用する色補正係数も、それぞれＡ〜Ｃとしている。
【０１６５】
図３１は、プリンタメーカーＡからＣが使用しているインクの色再現域をＬ* ａ* ｂ* 表色系で表したａ* ｂ* 平面上へ投影した投影図である。Ｌ* は明るさ、ａ* はプラス方向に赤み、マイナス方向に緑み、ｂ* はプラス方向に黄色み、マイナス方向に青みを表している。メーカーごとにインクの色再現域が異なるため、それぞれのメーカーが使用しているインクの色味にあわせて色補正係数およびＹＭＣＫ階調補正テーブルのパラメータを変更する。
【０１６６】
また、インクジェットモード１〜３のうち、インクジェットモード１、２は、同一の製造メーカーＡのプリンタであるが、機種の違いにより、設定が異なっている。インクジェットモードｌが対応するインクジェットプリンタは、４色インクを使用し、インクジェットモード２が対応するインクジェットプリンタは、６色インクを採用しているため、色再現域や再現された色味が異なる。
【０１６７】
図３２は、メーカーＡを例として、イエロー、マゼンタ、シアン、ブラックを用いた４色インクと４色インクにライトマゼンタ、ライトシアンを加えた６色インクの色再現域をＬ* ａ* ｂ* 表色系で、ａ* ｂ* 平面上に投影した図である。また、図３３は、メーカーＡを例として、４色インクと６色インクの色再現域のうちマゼンタとシアン方向の色再現域をＬ* ａ* 平面上へ投影した図である。
【０１６８】
４色インクに比べて６色インクを用いた場合には、図３２から分かるように、グリーン、レッド方向への色再現域が広がっている。また、図３３から分かるように、明るい方向に対して彩度が広がっている。
【０１６９】
このように、同一の製造元のプリンタであっても、使用するインクが異なることにより（この場合は、４色インクと６色インクの違いである）、インクジェットモードで使用する色補正係数を異ならせる必要がある。
【０１７０】
また、インクジェットモード１、３では、原稿の解像度（一例として、７２０ＤＰＩおよび１８０ＤＰＩ）が異なることに対応して、画像処理の空間フィルタ係数の平滑化の度合いを変更し、モアレの低減を行うものとする。
【０１７１】
次に、画像処理パラメータの１つとして用意されている画像分離結果の使用・不使用の項目について説明する。画像処理では、原稿中に含まれる文字の再現性と写真の再現性を高めるために、それぞれの画像処理パラメータを変更させている。通常の原稿は、一枚の原稿中に文字画像と写真画像とが混在しているために、スキャナで画像を読み取りながら、走査された画像データおよびその周囲の画像データから逐次的に文字画像用の処理を行うか、もしくは写真画像用の処理を行うかを判断している。
【０１７２】
これは、自動文字・写真分離であり、画像分離回路２０４に適切なパラメータを設定することにより、白地肌上の文字、網点上の文字、網点、写真などの判断結果（画像分離結果と呼ぶ）を後段の画像処理ブロック２０５〜２１０に伝達する。
【０１７３】
後段の画像処理ブロック２０５〜２１０は、この分離結果に基づいて画像処理パラメータを切り替える。ところが、このパラメータは、原稿の解像度に依存し、画像分離回路２０４に設定したパラメータの決定時に想定した原稿の解像度と、実際の原稿の解像度とが異なる場合には、文字を写真と判断したり、写真を文字と判断するなど、いわゆる分離エラーを発生する場合があり、これによって望ましくない画像が得られることがある。
【０１７４】
図３４（ａ）〜（ｆ）は、原稿の解像度が異なる場合のコピー画像の概念図である。図３４（ａ）のハッチングの部分は、解像度が粗い原稿（網点の線数に換算した場合の１００線以下や砂目原稿などが該当する）を示し、同図（ｄ）のハッチング部分は、解像度が細かい原稿（網点の線数に換算した場合の１００線以上のもの、高精細画像などが該当する）を示している。なお、これら原稿のハッチング部分は、均一な色味を表しているため、コピーした結果も均一な色味であることが望ましい。
【０１７５】
また、図３４（ｂ），（ｃ），（ｅ），（ｆ）は上記のそれぞれの原稿をコピーした場合で、同図（ｂ）および（ｅ）は分離結果を使用した場合を示し、同図（ｃ）および（ｆ）は分離結果を使用しない場合を示したものである。
【０１７６】
図示の如く、解像度が粗い原稿を分離結果を使用してコピーした画像（ｂ）は、写真用の処理を行った領域と、文字用の処理を行った領域とが混在し、目視した場合にも目立ちやすい。これは、写真用、文字用によって画像処理パラメータが異なるためであり、コピーしたものの色味が異なり、望ましい画像とはいえない。
【０１７７】
このような画像分離結果による色味の変化は、上記のように色補正パラメータやＹＭＣＫ階調補正テーブルだけではなく、空間フィルタを文字部用と写真部用とで異なる係数を使用した場合にも発生する。
【０１７８】
このような場合、同図（ｃ）に示したように分離結果を使用しない設定にすることにより、上記の不具合を発生させないようにすることができる。分離結果を使用しない設定とは、画像データに関わらず、常に写真部と判断した出力を画像分離回路２０４から発生する場合の他に、画像分離回路２０４が文字信号、あるいは写真信号を出力した場合でも、常に写真部と判断した場合と同じパラメータを使用するように設定した場合も含む。
【０１７９】
特に、インクジェット原稿の場合、解像度が１０線相当の低解像度のものから３６０線相当の高解像度のものが存在するため、原稿がどの解像度によって形成されたものであるかに応じて、画像分離パラメータを変更する必要がある。なお、ここでは、低解像度の原稿に対しては分離結果を使用しないように空間フィルタを設定している。
【０１８０】
図３５は、図２に示したＭＴＦ（空間）フィルタ２０５のブロック図を示してある。ＭＴＦフィルタ２０５内の空間フィルタ処理回路４８１ａ〜４８１ｃでは、主走査方向５画素×副走査方向３画素（３ライン）の画像信号から、中心の１画素のデータを行列演算し、出力する。図中のＲ0 ，Ｇ0 ，Ｂ0 は、それぞれＲｅｄ，Ｇｒｅｅｎ，Ｂｌｕｅデータの１ライン目の画像信号であり、空間フィルタ処理回路４８１ａ〜４８１ｃに入力されると共に、ＦＩＦＯメモリによりー時記憶される。２ライン目の画像信号Ｒ1 ，Ｇ1 ，Ｂ1 が同じく空間フィルタ処理回路４８１ａ〜４８１ｃに入力されると共に、ＦＩＦＯでー時記憶される。また、３ライン目の画像信号Ｒ2 ，Ｇ2 ，Ｂ2 が空間フィルタ処理回路４８１ａ〜４８１ｃに入力される。
【０１８１】
使用された空間フィルタ係数の一例を示すと、スルーの空間フィルタとして文字や線画などの画像データに対しては、図３６に示す空間フィルタ、写真画像や網点画像のデータに対しては、図３７、図３８および図３９に示す空間フィルタを使用する。
【０１８２】
また、原稿に対する縮尺率、拡大率、縦横変倍率に合わせて、図３７〜図３９の空間フィルタを使い分けることも必要に応じて行う。この上記空間フィルタの係数の選択は、図３５に示すように、係数セレクタ４８２により行う。この係数セレクタ４８２は、一例として２ビットの画像分離信号、５ビット（３２エリア分）のエリア画像信号、３ビット（８種類）分の空間フィルタ係数の選択信号に応じて切り替える。
【０１８３】
２ビットの画像分離信号は、画像信号が網点の画像信号であるか、文字または写真であるかに応じた信号である。これに応じて、一例として、図４０で示すように空間フィルタ係数（画像処理パラメータ）を切り替える。また、階調処理は、ディザの他に、インクジェット原稿で使用される誤差拡散処理を原稿に合わせて選択することができる。
【０１８４】
次に、実施の形態３で選択可能な各画質モードに用意された画像処理パラメータの一例について説明する。図２９に示すように、実施の形態３では、選択可能な画質モードとして、『文字モード』、『印刷写真原稿モード』『銀塩写真モード』、『蛍光ペンモード』、『布地モード』、『複写原稿モード』、『熱転写原稿モード』、『地図モード』、『インクジェットモード』、『ピクトログラフィモード』が用意されている。
【０１８５】
これら画質モードのうち、インクジェットモードは前述したようにインクジェットモード１〜８の８種類の画像処理パラメータがデフォルト値として用意されている。図４１に、このインクジェットモード１〜８の画像処理パラメータの詳細を示す。
【０１８６】
同様に、図４２は文字モードと蛍光ペンモード１，２の画像処理パラメータを示し、図４３は印刷写真原稿モードと複写原稿モード１〜５の画像処理パラメータを示し、図４４は鉄塩写真モード１〜３の画像処理パラメータを示し、図４５は地図モード１〜３の画像処理パラメータを示す、図４６は熱転写原稿モード１，２とピクトログラフィーの画像処理パラメータを示す。
【０１８７】
さらに、色補正係数は、原稿が使用している色材の種類に合わせて変更する。図４１〜図４６で示した画像処理パラメータ中の黒文字処理とは、画像分離回路２０４で黒文字と判断した画像信号の周囲の色成分の画像信号をほぼ０にする処理である。これを図４７を参照して具体的に説明する。
【０１８８】
図４７において、（ａ）は下地が白の黒文字原稿（黒文字ｉ）で、（ｄ）は下地が白でない黒文字原稿（黒文字ｉ）である。（ｂ）および（ｅ）は黒文字処理を施した場合、（ｃ）および（ｆ）は黒文宇処理を施さない場合である。
【０１８９】
下地（原稿の地肌）が白の場合で、黒文字処理を行わない場合、（ｃ）は、文字の周囲に色成分が残る。これは、スキャナのＣＣＤのＲＧＢが主走査方向に多少ずれて配置されているため、黒を読みとっても文字の両端にＲまたはＢ成分が残ってしまうためである（主走査方向にＲＧＢの順にずれている場合）。このような場合、黒文字処理を行うことにより、（ｂ）のように色成分をなくすことができる。
【０１９０】
一方、下地（原稿の地肌）が白でない場合、黒文字処理を行うと（ｅ）のように文字の周囲が白く抜けてしまう。これに対して黒文字処理を使用しない場合の（ｆ）は文字の周囲が白く抜けない。
【０１９１】
上記のように、原稿に応じて黒文宇処理の設定を変更する必要があり、実施の形態３では、画像処理パラメータ中において色補正係数のタイプとして設定の変更を可能とした。これは原稿の濃度が薄い部分で顕著になり、特に、薄い濃度の原稿では必要な処理である。
【０１９２】
また、蛍光ペンモード１，２の色補正係数の設定を次のようにしても良い。
蛍光ペンモード１の色変換係数を印刷原稿の色変換係数に比べてＹＭＣの画像濃度を上げて、原稿の蛍光ペンの色を強調して再現させるように設定する。これにより、原稿の蛍光ペンの色の違いを強調し、識別しやすくする。また、さらに黒の濃度も原稿の濃度を強調して再現するように設定することにより、黒文字と他の色との識別性を上げるようにすると良い。
蛍光ペンモード２の色変換係数を、ＹＭＣ色成分のみの画像濃度を上げて、強調させて再現させることにより、原稿の色を強調する。
【０１９３】
〔実施の形態４〕
実施の形態４の画像形成装置は、原稿の領域に応じて階調補正テーブルを切り替えることにより、原稿の種類や印刷用の設定にかかわらず、コストアップさせることなく色再現性の良い複写物を形成可能としたものである。なお、実施の形態４の基本的な構成および動作は実施の形態１と同様につき、ここでは異なる部分のみを詳細に説明する。
【０１９４】
図４８は、原稿の領域に応じて階調補正テーブルを切り替える動作を説明するための図である。
【０１９５】
同図において、原稿上の指定されたエリア情報と画像読取り時の読み取り位置情報とを比較し、エリア処理回路２０３からエリア信号を発生させる。このエリア処理回路２０３から出力されるエリア信号に基づいてスキャナγ変換回路２０３、ＭＴＦフィルタ回路２０５、色変換ＵＣＲ回路２０６、画像加工回路２０８、画像処理用プリンタγ補正回路２０９、階調処理回路２１０で使用するパラメータを変更する。なお、図４８では、画像加工回路２０８を省略し、画像処理用プリンタγ補正回路２０９と階調処理回路２１０のみ図示している。
【０１９６】
画像処理用プリンタγ補正回路２０９内では、エリア処理回路２０３からのエリア信号を第１のデコーダ（１）２０９ａでデコードし、第１のセレクタ（１）２０９ｂによって文字、インクジェットなどの複数の階調変換テーブルの中から選択する。
【０１９７】
図４８の原稿の例では、文字の領域と印画紙の領域と、インクジェットの領域が存在する例を図示している。文字の領域に対しては文字用の第１の階調変換テーブル（１）２０９ｃ、印画紙の領域１に対しては、印画紙用の第３の階調変換テーブル（３）２０９ｄ、インクジェットの領域２に対してはインクジェット用の第２の階調変換テーブル（２）２０９ｅがそれぞれ一例として選択される。なお、符号２０９ｆは印刷原稿用の階調変換テーブルである。
【０１９８】
画像処理用プリンタγ補正回路２０９で階調変換された画像信号は、階調処理回路２１０の中で再びエリア信号に対応させて第２のデコーダ（２）２１０ａによってデコードされた信号に基づいて第２のセレクタ（２）２１０ｂによって使用する階調処理を切り替える。使用可能な階調処理としては、ディザを使用しない処理２１０ｃ、ディザを行なった処理２１０ｄ、誤差拡散処理２１０ｅ等を行なう。誤差拡散処理はインクジェット原稿に対して行なう。
【０１９９】
階調処理後の画像信号は第３のデコーダ（３）２１０ｆによって読み取り位置情報に基づいてライン（１）であるか、ライン（２）であるかを選択する。ライン（１）およびライン（２）は副走査方向に１画素異なる毎に切り替えられる。ライン（１）のデータは第３のセレクタ２１０ｇの下流に位置するＦＩＦＯメモリ２１０ｈに一時的に蓄えられ、ライン（１）とライン（２）のデータが出力される。これにより画素周波数を１／２に下げてＩ／Ｆ・セレクタ２１１に入力させることができる。
【０２００】
次にレーザ変調回路を図４９に示すブロック図に基づいて説明する。なお、書込周波数は１８．６ＭＨｚであり、１画素の走査時間は５３．８ｎｓｅｃであるとする。８ビットの画像データは、ルックアップテーブル（ＬＵＴ）１５１でγ変換を行うことができる。パルス幅変調回路（ＰＷＭ）１５２で８ビットの画像信号上位３ビットの信号に基づいて８値のパルス幅に変換され、パワー変調回路（（ＰＭ）１５３で下位５ビットの信号に基づいて３２値のパワー変調が行われ、レーザダイオード（ＬＤ）１５４が変調された信号に基づいて発光する。フォトディテクタ（ＰＤ）１５５で発光強度をモニタし、１ドット毎に補正を行う。
【０２０１】
なお、レーザ光の強度の最大値は、画像信号とは独立に８ビット（２５６段階）に変えることができる。また、１画素の大きさに対し、主走査方向のビーム径（（このビーム径は、静止時のビーム強度が最大値に対して１／ｅ2 ）に減衰するときの幅として定義される。）は９０％以下、望ましくは８０％である。６００ＤＰＩ、１画素４２．３μｍでは、ビーム径は主走査方向５０μｍ、副走査方向６０μｍが使用される。また、図４８のライン（１）、ライン（２）の画像データのそれぞれに対応してこの図４９に示すレーザ変調回路が用意されている。ライン（（１）およびライン（２）の画像データは同期しており、感光体ドラム１０３上を主走査方向に並行して走査する。
【０２０２】
文字モードでは、パターン処理などのディザ処理を行わず、１ドット２５６階調でパターンが形成され、写真モードでは主走査方向に隣接した２画素ずつの書込み値の和を配分してレーザの書込み値が形成される。
【０２０３】
すなわち、１画素目の画素の書込み値がｎ１、２画素目の画素の書込み値がｎ２である場合のパターンの処理は、
ｎ１＋ｎ２≦２５５の場合、
１画素目の書込み値：ｎ１＋ｎ２
２画素目の書込み値：０
ｎ１＋ｎ２＞２５５の場合、
１画素目の書込み値：２５５
２画素目の書込み値：ｎ１＋ｎ２−２５５
または、
ｎ１＋ｎ２≦１２８の場合、
１画素目の書込み値：ｎ１＋ｎ２
２画素目の書込み値：０
１２８＜ｎ１＋ｎ２≦２５６の場合、
１画素目の書込み値：１２８
２画素目の書込み値：ｎ１＋ｎ２−１２８
２５６＜ｎ１＋ｎ２≦３８３の場合、
１画素目の書込み値：ｎ１＋ｎ２−１２８
２画素目の書込み値：１２８
３８３＜ｎ１＋ｎ２の場合、
１画素目の書込み値：２５５
２画素目の書込み値：ｎ１＋ｎ２−２５５
などと配分する。これ以外にも実際に画像形成時に使用しているパターン処理を用いる。
【０２０４】
図５０はスキャナγ変換回路２０２の構成を示すブロック図である。スキャナγ変換回路２０２は、第１のスキャナγ変換部（１）４７１、第２のスキャナγ変換部（２）４７２、第１のセレクタ（１）４７３、第２のセレクタ（２）４７４、第１のデコーダ４７５（１）および第２のデコーダ（２）４７６から構成されている。
【０２０５】
第１のセレクタ４７３は、スキャナ２２０によって読み取られ、シェーディング補正後の画像信号と画像メモリ２２４からの画像信号とを切り替える。第１のセレクタ４７３からの画像信号は、第１のスキャナγ変換部４７１と第２のスキャナγ変換部４７２に入力され、それぞれのγ変換回路でγ変換が行なわれる。第１のデコーダ４７５は、エリア処理回路２０３からのエリア信号に基づいて第１のセレクタ４７３から出力する画像信号を切り替える。
【０２０６】
第２のセレクタ４７４は第１のスキャナγ変換部４７１および第２のスキャナγ変換部４７２からの画像信号のいずれかを選択し、後段の画像メモリ２２４に出力する。第２のデコーダ４７６はエリア処理回路２０３からのエリア信号に基づいてセレクタ４７４から出力する画像信号を切り替える。
【０２０７】
画像メモリ２２４は、メモリ４８１、第３のセレクタ（３）４８２、第３のデコーダ（３）４８３から構成される。メモリ４８１に記憶された画像信号は、第３のデコーダ４８３によってエリア信号に基づいて後段に出力するか、スキャナγ変換回路２０２に入力するかの判断を行い、第３のセレクタ４８２によって出力先を切り替える。
【０２０８】
メモリ４８１は、すでに述べたように原稿１枚分のＲＧＢそれぞれ８ビットの画像信号分のメモリ量を有し、読み取った原稿１枚分の画像データから任意の領域の画像信号を読み出し、後段の回路もしくはスキャナγ変換回路２０２に出力することができる。
【０２０９】
スキャナγ変換回路２０２は、すでに述べたように１０ビットの入力信号を８ビットに変換して出力するので、スキャナ２２０からの入力の場合は１０ビット、画像メモリ２２４からの入力の場合は８ビットの画像信号の入力となるため、入力元がいずれかによって第１および第２のスキャナγ変換部４７２，４７３に設定するＲＧＢそれぞれのスキャナγ変換テーブルを変更する必要がある。すなわち、スキャナ２２０からの入力の場合は１０ビット画像信号用のスキャナγ変換テーブル、画像メモリ２２４からの入力の場合は８ビット画像信号用のスキャナ変換テーブルを設定する。
【０２１０】
１枚の原稿中に複数の画像領域を設定し、それぞれの画像処理パラメータを変更するときには以下のように動作する。
【０２１１】
図５１は、エリア指定のための操作部画面３０１の表示例を示す図である。操作部画面３０１には、原稿台に載置された原稿を読み取り、読み取った原稿を表示する表示画面５０１、表示画面上でエリア領域を指定する際に使用するカーソル５０２、カーソルを移動させるためのカーソル移動ボタン５０３、原稿を読み取った画像を拡大するための拡大ボタンと全体表示ボタン５０４、原稿を再読み取りするための読み取りボタン５０５、エリア指定した領域の画質モードを選択するための画質モード設定ボタン５０６、エリア領域の開始位置を指定するための開始点ボタン５０７、エリア領域の終了位置を指定するための終了点ボタン５０８、指定した内容を確定するための確定ボタン５０９、および設定済みのエリア領域を選択するエリア選択ボタン５１０などが設けられている。
【０２１２】
長方形の点線で囲まれた領域５１１はエリア指定された領域を示す。これは、前述のカーソル５０２によって長方形の領域５１１の左上の角を開始点として指定し、右下の角を終了点として指定することによって設定される。例えば、領域５１１を『蛍光ペン』モードで指定するために画質モードボタン５０６を選択すると、図５２に示すような画質モード選択画面が表示される。画質モードは図５２の表示画面に示すように様々なモードが選択できる。この画質モードの設定内容（画像処理パラメータ）を図５３に示す。
【０２１３】
なお、図５２の『文字・印刷写真』は文字領域と印刷写真領域を自動判定する画質モードである。ここでは、『蛍光ペン１』を選択した後、「設定」ボタンを選択し、画質モードの設定を行うものとする。
【０２１４】
図５１の確定ボタン５０９を選択し、コピースタートキーを押すと、複写機のコピー動作が開始する。指定した領域５１１外の領域の画質モードを指定するためには、領域５１１外の領域で開始点ボタン５０７を選択し、さらに画質モード５０６を選択する。実施の形態４においてはデフォルトでは文字・印刷写真に指定されている。コピースタートさせると、領域５１１は『蛍光ペン』モードの画像処理パラメータで、領域５１１の外側の領域は『文字・印刷写真』モードの画像処理パラメータで画像形成を行なう。
【０２１５】
図５４には、図４８と同様に１枚の原稿の中で領域０は『文字』モード、領域１は『印画紙写真』モード、領域２は『インクジェット原稿』モード、領域３は『蛍光ペン』モード、領域４は『ピクトログラフィー』モードとなった例を示している。
【０２１６】
設定可能な画質モードとそれぞれの画像処理パラメータの設定との関係は、図５３に示した通りである。図５３に示すように文字モードとインクジェット原稿モードの領域（領域０、領域２）には通常用のＲＧＢγ変換テーブルを、蛍光ペンモードの領域（領域３）には蛍光ペン用のＲＧＢγ変換テーブルを、印画紙写真モードの領域（領域１）には印画紙写真用のＲＧＢγ変換テーブルを、ピクトログラフィの領域（領域４）にはピクトログラフィ用のＲＧＢγ変換テーブルをそれぞれ使用する。
【０２１７】
通常用のＲＧＢγ変換テーブルと蛍光ペン用のＲＧＢγ変換テーブルの一例を図５５に示す。同図において、横軸はＲＧＢγ変換テーブルへの入力を、縦軸は出力をそれぞれ示す。横軸の範囲を図５５では、０〜１０２３までと０〜２５５までの二重の表示としているが、これは前述の１０ビット信号を８ビット信号に変換するスキャナγ変換回路２０２の特性によるものである。すなわち、スキャナ２２０から入力された信号をＲＧＢγ変換する場合には、０〜１０２３の入力信号に対応し、画像メモリ２２４からの入力信号をＲＧＢγ変換する場合には、０〜２５５の入力信号に対するＲＧＢγ変換を行なうように横軸のスケールを変更する。回路上は常に１０ビット信号の０〜１０２３の入力信号に対応しているので、８ビット信号に対する場合には、そのうちの０〜２５５の入力に対応し、２５６〜１０２３には０を出力するようにＲＧＢγ変換テーブルを設定しておく。８ビットの画像信号をスキャナγ変換回路２０２に入力する場合には、１０ビットの信号線の内、下位８ビットを使用し、１０ビットの信号線の内の上位２ビットには０を設定する。
【０２１８】
このような処理を行なう代わりに画像メモリ２２４からの８ビットの入力信号をスキャナγ変換回路２０２へ入力する１０ビットの信号線の内の上位の８ビット信号として使用し、１０ビットの信号線の内の下位の２ビットに０を設定しておいても良い。この場合には、スキャナ２２０からの入力信号および画像メモリ２２４からの入力信号にかかわらずＲＧＢγ変換テーブルを入力信号０〜１０２３に対応したものに設定しておけば良い。
【０２１９】
図５５から分かるように、通常用の原稿および蛍光ペン用の原稿に対するＲＧＢγ変換テーブルはＲＧＢそれぞれの画像信号に対してほぼ共通の変換特性を備えている。これは、普通紙の原稿の無彩色、すなわち、白色、灰色、黒色に対しては、スキャナ２２０でＲＧＢ読み取り値のグレーバランスが得られていることによる。なお、ここでは、蛍光ペン用のＲＧＢγ変換テーブルは紙の地肌付近の画像濃度が通常用のＲＧＢγ変換テーブルを用いて変換した場合に比べて高くなるように設定している。
【０２２０】
図５６は印画紙写真原稿用ＲＧＢγ変換テーブルの変換特性、図５７はピクトログラフィ原稿用のＲＧＢγ変換テーブルの変換特性をそれぞれ示す。両者とも原稿に形成された無彩色をスキャナ２２０で読み取ったときのＲＧＢ画像信号をＲＧＢγ変換を行なった結果のグレーバランス（ＲＧＢの変換後の出力値）がほぼ一致するようにＲＧＢγ変換テーブルを作成した結果の一例である。
【０２２１】
これらの原稿を通常用のＲＧＢγ変換テーブルを用いてＲＧＢγ変換を行なった場合には、原稿が無彩色でもコピーしたものが無彩色でなく、色が付いてしまうグレーバランスを得ることができないので、ＲＧＢそれぞれの画像信号を変換するＲＧＢγ変換特性を変更する必要がある。これは、通常使用する普通紙と銀塩写真用の印画紙の表面処理が異なることによって表面の分光反射率が異なってくるからである。例えば、肉眼で観察した場合、普通紙と印画紙とでほぼ同じ色に見えたときでも、用紙の表面の分光反射率が両者で異なっているので複写機のスキャナで読み取った場合には、ＲＧＢ信号の値が異なり、違う色として認識される場合があるからである。
【０２２２】
これを図５８を参照して説明する。図５８は横軸に光の波長、縦軸に普通紙と印画紙表面のこの理由を示す概念図である。なお、図５８において横軸は光の波長を、縦軸は普通紙と印画紙表面の分光反射率と、スキャナのＣＣＤのＲＧＢの分光感度をそれぞれ示す。同図から分かるように印画紙の分光反射率は普通紙の分光反射率に比べ、波長７００ｎｍ付近で低くなっている。さらに詳しくは６２０〜６３０ｎｍより長くなると急激に低くなっている。スキャナのＣＣＤの読み取り値はＲＧＢそれぞれのＣＣＤの分光感度と読み込み対象の分光反射率、光学系の分光反射率、スキャナが有する光源の分光エネルギの分光積を積分した値に比例する。光学系の分光反射率、スキャナが有する光源の分光エネルギは同じ機械で印画紙と普通紙を読み取る場合には共通なので、ここでは、印画紙と普通紙の分光反射率と、スキャナのＲＧＢのＣＣＤ感度を図示した。
【０２２３】
印画紙と普通紙を読み取ったＲＧＢの読み取り値を、ＣＣＤの分光感度と用紙の分光反射率との積から考察すると、印画紙のＲｅｄの読み取り値が普通紙のＲｅｄの読み取り値によりも低くなる。同様に普通紙と印画紙の白紙を読み込んだ場合でも、ＲＧＢ信号の読み取り値が印画紙の読み取り値よりも低くなる。したがって、普通紙の場合には、ＲＧＢの出力信号がほぼ一致するようにスキャナを設定すると、印画紙を使用した場合にはＲｅｄ信号の出力値が低くなり、ＲＧＢの信号としては白原稿を読み取ったにもかかわらず、シアンがかった色合として読み取られる。これを防ぐためにＲＧＢγ変換テーブルは原稿の種類に応じて変更される。また、色の再現性を確保するために、ＲＧＢγ階調変換特性を図１３に示すように印画紙専用のパラメータをＲＧＢそれぞれ用意し、コピー時に使用するようにしている。このようなＲＧＢγ階調変換テーブルは印画紙用のみならず、熱処理原稿やピクトログラフィの原稿についても同様に用意される。
【０２２４】
ここで、前述の図５４に示した原稿の指定された画像処理機能毎にＲＧＢγ変換を行なう処理動作について図５９および図６０のフローチャートを参照して説明する。
【０２２５】
この処理では、まず、スキャナで原稿を読み取り（ステップＳ８０１）、読み取った原稿を操作画面に表示する（ステップＳ８０２）。次いで、原稿の中の所望の領域に画質モードを設定する（ステップＳ８０３）。
【０２２６】
画質モードが設定されると、第１のスキャナγ変換部４７１に通常用のＲＧＢγ変換テーブル、第２のスキャナγ変換部４７２には、１０ビット信号を８ビット信号に変換する無変換（スルー）のＲＧＢγ変換テーブルを設定する（ステップＳ８０４）。１０ビット信号を８ビット信号に変換するための変換テーブルは図６１の（ａ）に示すようになる。また、図６１の（ｂ）は、ここでは使用しないが、８ビット信号を入力し、８ビット信号を出力する無変換ＲＧＢγ変換テーブルである。
【０２２７】
ステップＳ８０４で第１および第２のスキャナγ変換部４７１，４７２にパラメータが設定されると、スキャナで原稿を読み取り（ステップＳ８０５）、読み取った領域が第１のスキャナγ変換部４７１に設定した通常用のＲＧＢγ変換テーブルを使用する領域であるかどうか判断する（ステップＳ８０６）。
【０２２８】
この判断結果に応じてセレクタ４７３をスキャナ２２０からの画像信号を第１のスキャナγ変換部４７１、第２のスキャナγ変換部４７２へ入力するように切り替える（ステップＳ８０７，Ｓ８０９）。すなわち、文字モードの領域０とインクジェット原稿モードの領域２は第１のスキャナγ変換部４７１でＲＧＢγ変換を行なう（ステップＳ８０７）。そして、変換された結果を画像メモリ２２４に記憶する（ステップＳ８０８）。
【０２２９】
一方、上記以外の領域１，３，４は、第２のスキャナγ変換部４７２に設定されたＲＧＢγ変換テーブルで１０ビット信号を８ビット信号に変換した画像信号を後段に伝達する（ステップＳ８０９）。そして、ステップＳ８１０では、受け取った画像信号を画像メモリ２２４に記憶する。
【０２３０】
その後、第１のスキャナγ変換部４７１に印画紙写真用のＲＧＢγ変換テーブルを、第２のスキャナγ変換部４７２に蛍光ペン原稿用のＲＧＢγ変換テーブルを設定する（ステップＳ８１１）。この場合、ともに８ビット信号を８ビット信号に変換するＲＧＢγ変換テーブルである。
【０２３１】
次いで、領域指定された領域の画像信号をメモリ４８１から読み出し、メモリ４８１内に記憶された画像信号を第１のセレクタ４７３に出力するように第３のセレクタ４７３を切り替え（ステップＳ８１２）、画像メモリ２２４から読み出した画像信号が第１のスキャナγ変換部４７１を使用するモードかどうかを判断する（ステップＳ８１３）。すなわち、印画紙写真モードが、蛍光ペンモードかに応じて第３のセレクタ４７３を画像メモリ２２４からの画像信号を第１のスキャナγ変換部４７１あるいは第２のスキャナγ変換部４７２に入力させるように切り替える。
【０２３２】
この切り替えに応じて画像メモリ２２４からの画像信号は、第１のスキャナγ変換部４７１のＲＧＢγ変換テーブルもしくは第２のスキャナγ変換部４７２のＲＧＢγ変換テーブルを使用して変換される（ステップＳ８１４，Ｓ８１５）。さらに詳しくは、ステップＳ８１４では、印画紙写真モードの領域１の画像信号を第１のスキャナγ変換４７１を使用してＲＧＢ変換し、ステップＳ８１５では、蛍光ペンモードの領域３を第２のスキャナγ変換部４７２によってＲＧＢγ変換する。ステップＳ８１４またはステップＳ８１５で変換された結果は、画像メモリ２２４の画像信号を読み出したメモリ領域（領域１，３）に上書きする（ステップＳ８１６）。
【０２３３】
これをすべての領域にわたって実行し、全ての領域で変換が終了するとプリンタに出力し、変換した結果に基づいて画像が形成される（ステップＳ８１８）。
【０２３４】
ここでは、ピクトログラフィの領域は適切なＲＧＢγ変換テーブルで変換されていないため、ピクトログラフィの領域である領域４については、ステップＳ８１７からステップＳ８１１に戻って以下の処理を繰り返す。
【０２３５】
すなわち、ステップＳ８１１で第１のスキャナγ変換部４７１にピクトログラフィ用のＲＧＢγ変換テーブルを設定する。ついで、ステップＳ８１２でピクトログラフィ原稿モードに設定された領域４の画像信号を画像メモリ２２４から読み出して第１のセレクタ４７３に入力する。ステップＳ８１３では、画像メモリ２２４から読み出した画像信号を第１のスキャナγ変換部４７１に入力する。そして、ステップＳ８１４で第１のスキャナ変換部４７１に入力された画像信号をＲＧＢγ変換し、ステップＳ８１６で画像メモリ２２４中の領域４の画像信号を記憶した画像信号を上書きし、ステップＳ８１７で第３のセレクタ４８２の出力を後段側に切り替え、ステップＳ８１８で画像メモリ２２４以降の画像処理を行なってプリンタに出力し、変換した画像信号に基づいて画像出力する。
【０２３６】
なお、実施の形態４では詳細には説明しないが、例えば図６１に示したような１０ビット信号から８ビット信号への変換用、もしくは無変換用のスキャナγ変換テーブルなどのＲＧＢγ変換テーブルを使用して指定された特定の領域の画像濃度（コピー濃度）を変更することができる。すなわち、図６２に示すように図５５の通常原稿用のＲＧＢγ変換テーブルの出力（縦軸）の最大値を２５５から１２８に下げると（ｂ→ａ）、指定された領域の画像濃度を下げることができる。この処理は、前述の図５９およぶ図６０のフローチャートと同様の手順で行なわれる。なお、図６２の（ａ）では、画像濃度を下げるようにしているが、同図の（ｂ）のようなＲＧＢγ変換テーブルを使用することによって（ａ）から（ｂ）に濃度を上げるようにすることもできる。
【０２３７】
これまでの説明で明らかなように、実施の形態４によれば、スキャナのＲＧＢ読み取り信号を階調変換するＲＧＢ階調変換テーブル、色補正係数、ＹＭＣＫ階調補正テーブルをそれぞれ複数備え、１枚の原稿中で階調補正テーブルの切り替えを行うことができるとともに、ＲＧＢ階調変換テーブルによって変換された画像を画像メモリ中に記憶することができ、さらに、記憶された画像信号は再びＲＧＢ変換テーブルに入力することができる。これによって、切り替え可能な複数のＲＧＢ階調変換テーブルを持つ必要がなくなり、コストアップを抑えることが可能になる。また、１枚の原稿中に、印刷、印画紙などコンピュータとなる原稿種が存在する場合には、画像領域に応じて画像処理パラメータを切り替え、各原稿種に応じて最適な画像処理を行うことができる。
【０２３８】
また、画像読み取り信号用のＲＧＢ階調変換テーブルを無変換用と変換用の２系統有し、これらの２つの階調変換テーブルを原稿中の特定領域に応じて切り替えて階調変換を行った結果を画像メモリ中に記憶し、記憶した画像信号を再びＲＧＢ変換テーブルに入力することによって、階調変換テーブルの数を抑制し、コストを抑えながら画質の向上を図ることができる。
【０２３９】
また、原稿を読み取って得た画像信号を記憶手段内に記憶するという第１の動作と、ＲＧＢ階調変換テーブルに適切なパラメータを設定するという第２の動作と、前記記憶手段内から原稿内の特定領域の画像信号を読み出すという第３の動作と、前記階調変換テーブルで前記特定領域の画像信号を変換するという第４の動作と、変換された画像信号を記憶手段内に記憶するという第５の動作とを、必要回数繰り返して画像処理を行うので、原稿全体の画質を飛躍的に向上させることができる。
【０２４０】
また、印画紙原稿を、蛍光ペンを用いた原稿、熱転写原稿のいずれかの画質モード専用のＲＧＢ階調変換テーブルを画像領域に応じて切り替え可能としたので、１枚の原稿中に複数種類の原稿種が存在する場合でも、全ての原稿種の色再現性を向上させることができる。
【０２４１】
さらに、スキャナが出力した色補正処理前の画像信号を階調変換する通常用の階調変換テーブルによって濃度を変更するので、適切なＲＧＢ階調変換テーブルを設定することによって原稿中の特定領域内の濃度を変更することが容易に行える。
【０２４２】
なお、前述した実施の形態１〜実施の形態４では、それぞれの発明を明確にするために、特徴となる部分のみを分けて説明したが、実施の形態１〜実施の形態４を同一の画像形成装置に適用可能であることは勿論である。したがって、これらの一部または全部を組み合わせた画像形成装置も本発明の範疇であることは言うまでもない。
【図面の簡単な説明】
【０２４３】
【図１】実施の形態１の複写機の概略構成図である。
【図２】実施の形態１の複写機における制御系の説明図である。
【図３】実施の形態１の複写機の画像処理部のブロック構成図である。
【図４】実施の形態１の複写機における階調変換テーブルの切り替え動作の説明図である。
【図５】実施の形態１の複写機におけるレーザ変調回路の構成図である。
【図６】実施の形態１の要旨であるモニタコピー機能の動作フローチャートである。
【図７】図２に示した複写機における操作部を示す図である。
【図８】図７に示した液晶画面の操作パターンの表示例を示す図である。
【図９】図６のＳ６０５のモニタ画像形成処理の動作フローチャートである。
【図１０】実施の形態１におけるモニタ画像の出力例を示す説明図である。
【図１１】インクジェットモードの設定例を示す説明図である。
【図１２】モニタコピーをしたい画質モードだけを選択する場合のモニタコピー出力処理を示すフローチャートである。
【図１３】実施の形態１における画質モードの選択画面例を示す説明図である。
【図１４】実施の形態１における画質モードの選択画面例を示す説明図である。
【図１５】実施の形態１においてモニタ画像と共に対応する画質モード名を転写紙上に出力した例を示す説明図である。
【図１６】蛍光ペンモードおよび文字モードの画像処理パラメータを示す説明図である。
【図１７】複写原稿モードと印刷写真原稿モードの画像処理パラメータを示す説明図である。
【図１８】銀塩写真モードの画像処理パラメータを示す説明図である。
【図１９】操作部を用いて画質モードを設定する例を示す説明図である。
【図２０】実施の形態２のモニタコピー出力処理のフローチャートである。
【図２１】実施の形態２において特定領域を指定する例を示す説明図である。
【図２２】実施の形態２において転写紙上に形成されるモニタ画像を並べ変えて出力させる例を示すフローチャートである。
【図２３】実施の形態２のモニタ画像の並べ替え方法の例を示す説明図である。
【図２４】実施の形態２のモニタ画像の並べ替え方法の例を示す説明図である。
【図２５】実施の形態２の特定領域の変倍を行ってモニタ画像を出力例を示すフローチャートである。
【図２６】実施の形態３の操作部全体の構成図である。
【図２７】実施の形態３の操作部の液晶画面を示す説明図である。
【図２８】実施の形態３において『特殊原稿』を選択した時の操作部の液晶画面を示す説明図である。
【図２９】実施の形態３において各々の画質モードのデフォルト値を選択する画面の一例を示す説明図である。
【図３０】実施の形態３においてインクジェットと表示された画質モードの部分を選択した時の液晶画面を表した説明図である。
【図３１】インクジェット用インクの色再現域を表した説明図である。
【図３２】６色インクの色再現域（ａ* ｂ* 平面）を表した説明図である。
【図３３】６色インクの色再現域（Ｌ* ａ* 平面）を表した説明図である。
【図３４】原稿の解像度が異なる場合のコピー画像の概念図である。
【図３５】ＭＴＦ（空間）フィルター処理回路のブロック図である。
【図３６】空間フィルタの一例を示す説明図である。
【図３７】空間フィルタの一例を示す説明図である。
【図３８】空間フィルタの一例を示す説明図である。
【図３９】空間フィルタの一例を示す説明図である。
【図４０】２ビットの画像分離信号に応じて用いる空間フィルタの一例を示した説明図である。
【図４１】インクジェットモードの画像処理パラメータを示す説明図である。
【図４２】蛍光ペンモードと文字モードの画像処理パラメータを示す説明図である。
【図４３】複写原稿モードと印刷写真原稿モードの画像処理パラメータを示す説明図である。
【図４４】銀塩写真モードの画像処理パラメータを示す説明図である。
【図４５】地図モードの画像処理パラメータを示す説明図である。
【図４６】熱転写原稿モードとピクトログラフィーの画像処理パラメータを示す説明図である。
【図４７】下地が白の黒文字原稿、下地が白でない黒文字原稿における、黒文字処理を施した場合、黒文宇処理を施さない場合のコピー画像の概念図である。
【図４８】実施の形態４の原稿の領域に応じて階調補正テーブルを切り替える動作を示す説明図である。
【図４９】実施の形態４のレーザ書き込み系の概略構成を示すブロック図である。
【図５０】実施の形態４のスキャナγ変換回路の構成を示すブロック図である。
【図５１】実施の形態４において、エリア指定のための操作部画面の表示例を示す説明図である。
【図５２】実施の形態４の画質モード選択画面を示す説明図である。
【図５３】実施の形態４の各画質モードの画像処理パラメータを示す説明図である。
【図５４】実施の形態４おける原稿のエリア処理の処理工程を示す説明図である。
【図５５】実施の形態４における通常用と蛍光ペン用のスキャナγ変換特性を示す特性図である。
【図５６】実施の形態４におけるＲＧＢの印画紙写真用のスキャナγ特性を示す特性図である。
【図５７】実施の形態４におけるピクトログラフィー用のスキャナγ特性を示す特性図である。
【図５８】実施の形態４におけるＣＣＤの分光感度と用紙の分光反射率の関係を示す特性図である。
【図５９】実施の形態４におけるエリア処理時のコピー動作の動作手順を示すフローチャートである。
【図６０】実施の形態４におけるエリア処理時のコピー動作の動作手順を示すフローチャートである。
【図６１】実施の形態４に係る１０ビットと８ビットの変換用および無変換用のＲＧＢγ変換特性を示す特性図である。
【図６２】実施の形態４に係る濃度変更用のＲＧＢγ変換特性を示す特性図である。
【符号の説明】
【０２４４】
３０    メイン制御部（ＣＰＵ）
３１    ＲＯＭ
３２    ＲＡＭ
３３    インターフェース
３４    レーザ光学系制御部
３５    電源回路
３６    光学センサ
３７    トナー濃度センサ
３８    環境センサ
３９    感光体表面電位センサ
４０    トナー補給回路
４１    中間転写ベルト駆動部
４２，４２Ａ    操作部
１０１    複写機本体
１０３    感光体ドラム
１０４    帯電チャージャ
１０５    レーザ光学系
１０６、１０７、１０８、１０９    カラー現像装置
１１０    中間転写ベルト
１１１    バイアスローラ
１１２    クリーニング装置
１１３    除電部
１１４    転写バイアスローラ
１１５    ベルトクリーニング装置
１１６    搬送ベルト
１１７    定着装置
１１８    排紙トレイ
１１９    コンタクトガラス
１２０    露光ランプ
１２１    反射ミラー
１２２    結像
１２３    イメージセンサアレイ
１５１    ルックアップテーブル（ＬＵＴ）
１５２    パルス幅変調回路（ＰＷＭ）
１５３    パワー変調回路（ＰＭ）
１５４    レーザダイオード（ＬＤ）
１５５    フォトディテクタ（ＰＤ）
２２０    スキャナ
２０１    シェーディング補正回路
２０２    スキャナγ変換回路
２０３    エリア処理回路
２０４    画像分離回路
２０５    ＭＴＦフィルタ
２０６    色変換ＵＣＲ処理回路
２０７    変倍回路
２０８    画像加工（クリエイト）回路
２０９    画像処理用プリンタγ補正回路
２１０    階調処理回路
２１１、２２３    Ｉ／Ｆ・セレクタ
２１２    画像形成用プリンタγ補正回路
２１３    プリンタ
２２１、２２２    パターン生成回路
２２４    画像メモリ
４０１    液晶画面
４０２    画質モード選択キー
【図１】
2006060830.tif 000004
【図２】
2006060830.tif 000005
【図３】
2006060830.tif 000006
【図４】
2006060830.tif 000007
【図５】
2006060830.tif 000008
【図６】
2006060830.tif 000009
【図７】
2006060830.tif 000010
【図８】
2006060830.tif 000011
【図９】
2006060830.tif 000012
【図１０】
2006060830.tif 000013
【図１１】
2006060830.tif 000014
【図１２】
2006060830.tif 000015
【図１３】
2006060830.tif 000016
【図１４】
2006060830.tif 000017
【図１５】
2006060830.tif 000018
【図１６】
2006060830.tif 000019
【図１７】
2006060830.tif 000020
【図１８】
2006060830.tif 000021
【図１９】
2006060830.tif 000022
【図２０】
2006060830.tif 000023
【図２１】
2006060830.tif 000024
【図２２】
2006060830.tif 000025
【図２３】
2006060830.tif 000026
【図２４】
2006060830.tif 000027
【図２５】
2006060830.tif 000028
【図２６】
2006060830.tif 000029
【図２７】
2006060830.tif 000030
【図２８】
2006060830.tif 000031
【図２９】
2006060830.tif 000032
【図３０】
2006060830.tif 000033
【図３１】
2006060830.tif 000034
【図３２】
2006060830.tif 000035
【図３３】
2006060830.tif 000036
【図３４】
2006060830.tif 000037
【図３５】
2006060830.tif 000038
【図３６】
2006060830.tif 000039
【図３７】
2006060830.tif 000040
【図３８】
2006060830.tif 000041
【図３９】
2006060830.tif 000042
【図４０】
2006060830.tif 000043
【図４１】
2006060830.tif 000044
【図４２】
2006060830.tif 000045
【図４３】
2006060830.tif 000046
【図４４】
2006060830.tif 000047
【図４５】
2006060830.tif 000048
【図４６】
2006060830.tif 000049
【図４７】
2006060830.tif 000050
【図４８】
2006060830.tif 000051
【図４９】
2006060830.tif 000052
【図５０】
2006060830.tif 000053
【図５１】
2006060830.tif 000054
【図５２】
2006060830.tif 000055
【図５３】
2006060830.tif 000056
【図５４】
2006060830.tif 000057
【図５５】
2006060830.tif 000058
【図５６】
2006060830.tif 000059
【図５７】
2006060830.tif 000060
【図５８】
2006060830.tif 000061
【図５９】
2006060830.tif 000062
【図６０】
2006060830.tif 000063
【図６１】
2006060830.tif 000064
【図６２】
2006060830.tif 000065